(57)【要約】      （修正有）【課題】紙幣処理装置および硬貨処理装置を並列に配設することにより、装置の更なるコンパクト化を図ることができ、このことにより設置スペースの制約を受けることをできるだけ抑制することができる貨幣処理システムを提供する。【解決手段】貨幣処理システム１０は、紙幣を金種別に収納する複数の収納部を有する紙幣処理装置１００と、硬貨を金種別に収納する複数の収納部を有する硬貨処理装置２００と、を備えており、紙幣処理装置１００および硬貨処理装置２００は並列に配設されている。【選択図】図１
2015001928.tif 000002
【特許請求の範囲】
【請求項１】
紙幣を金種別に収納する複数の収納部を有する紙幣処理装置と、
硬貨を金種別に収納する複数の収納部を有する硬貨処理装置と、
を備え、
前記紙幣処理装置および前記硬貨処理装置は並列に配設されている、貨幣処理システム。
【請求項２】
前記硬貨処理装置の前記各収納部は、硬貨を積層状態で集積し、硬貨を上部から受け入れるとともに上部から硬貨を繰り出すものからなり、
前記硬貨処理装置の前記各収納部は当該硬貨処理装置の奥行き方向に沿って並ぶよう配設されている、請求項１記載の貨幣処理システム。
【請求項３】
前記硬貨処理装置は、当該硬貨処理装置の機体内に投入された硬貨を前記各収納部に搬送する硬貨搬送部を有しており、
前記硬貨搬送部は、前記硬貨処理装置の機体内に投入された硬貨を前記各収納部に送る方向、およびその逆方向の両方向に硬貨を搬送することができるようになっている、請求項１または２記載の貨幣処理システム。
【請求項４】
前記硬貨搬送部の搬送路は直線形状となっている、請求項３記載の貨幣処理システム。
【請求項５】
前記硬貨搬送部は、前記硬貨処理装置の機体内に投入された硬貨を前記各収納部に搬送する処理、および前記各収納部に収納された硬貨を前記硬貨処理装置の機体外に搬送する処理で共用されるようになっている、請求項３または４記載の貨幣処理システム。
【請求項６】
前記紙幣処理装置の前記各収納部のうち少なくとも一つの前記収納部は前記紙幣処理装置の機体から着脱自在となっている、請求項１乃至５のいずれか一項に記載の貨幣処理システム。
【請求項７】
前記紙幣処理装置は、当該紙幣処理装置の機体内で紙幣の搬送を行う紙幣搬送部を有しており、
前記紙幣処理装置の奥行き方向における、前記紙幣処理装置の機体から着脱自在となっている前記収納部よりも奥側に、前記紙幣搬送部におけるループ形状の搬送路が配設されている、請求項６記載の貨幣処理システム。
【請求項８】
前記紙幣処理装置の機体から着脱自在となっている前記収納部は、前記紙幣処理装置の高さ方向における中間位置において当該紙幣処理装置の機体から引き出すことができるようになっている、請求項６または７記載の貨幣処理システム。
【請求項９】
前記硬貨処理装置には、当該硬貨処理装置から硬貨を回収するための回収部が前記硬貨処理装置の機体から着脱自在に設けられており、
前記紙幣処理装置の機体から着脱自在となっている前記収納部と前記硬貨処理装置の回収部とを一体的に引き出すことができるようになっている、請求項６乃至８のいずれか一項に記載の貨幣処理システム。
【請求項１０】
前記紙幣処理装置は、当該紙幣処理装置の機体内で紙幣の搬送を行う紙幣搬送部を有しており、
前記紙幣搬送部は、紙幣の長手方向に沿って当該紙幣を搬送するようになっている、請求項１乃至９のいずれか一項に記載の貨幣処理システム。
【請求項１１】
前記紙幣処理装置の機体内に紙幣を投入するための紙幣入金口と、前記硬貨処理装置の機体内に硬貨を投入するための硬貨入金口とが、前記貨幣処理システムの高さ方向における略同一位置に配置されている、請求項１乃至１０のいずれか一項に記載の貨幣処理システム。
【請求項１２】
硬貨を金種別に収納する複数の収納部を備えた硬貨処理装置であって、
前記各収納部は、硬貨を積層状態で集積し、硬貨を上部から受け入れるとともに上部から硬貨を繰り出すものからなり、
前記各収納部は前記硬貨処理装置の奥行き方向に沿って並ぶよう配設されている、硬貨処理装置。
【請求項１３】
前記硬貨処理装置の機体内に投入された硬貨を前記各収納部に搬送する硬貨搬送部を更に備え、
前記硬貨搬送部は、前記硬貨処理装置の機体内に投入された硬貨を前記各収納部に送る方向、およびその逆方向の両方向に硬貨を搬送することができるようになっている、請求項１２記載の硬貨処理装置。
【請求項１４】
前記硬貨搬送部の搬送路は直線形状となっている、請求項１３記載の硬貨処理装置。
【請求項１５】
前記硬貨搬送部は、前記硬貨処理装置の機体内に投入された硬貨を前記各収納部に搬送する処理、および前記各収納部に収納された硬貨を前記硬貨処理装置の機体外に搬送する処理で共用されるようになっている、請求項１３または１４記載の硬貨処理装置。
【発明の詳細な説明】
【技術分野】
【０００１】
本発明は、紙幣や硬貨の入出金処理等の様々な処理を行う貨幣処理システム、および硬貨の入出金処理等の様々な処理を行う硬貨処理装置に関する。
【背景技術】
【０００２】
従来、銀行等の金融機関では、窓口の２人のテラーの間に配置され、紙幣や硬貨の入出金処理を行うことができる貨幣処理システムが利用されている。例えば、特許文献１には、金種別に紙幣を収納する複数のスタッカが設けられた紙幣処理ユニットの上部に、金種別に硬貨を収納する複数の硬貨収納繰出部が設けられた硬貨処理ユニットを配設した循環式の貨幣処理装置が開示されている。特許文献１に開示される循環式の貨幣処理装置では、紙幣処理ユニットの機体内で紙幣を搬送する紙幣搬送部を、双方向に紙幣を搬送可能なものとすることにより、紙幣処理ユニットの高さ方向を低く抑えるようにしている。
【先行技術文献】
【特許文献】
【０００３】
【特許文献１】特開２００１−９３０１９号公報
【発明の概要】
【発明が解決しようとする課題】
【０００４】
しかしながら、金融機関によっては、特許文献１に開示されるような紙幣処理ユニットの高さ方向を低く抑えた循環式の貨幣処理装置でも、設置スペースの問題から導入することができない場合があり、装置の更なるコンパクト化が望まれている。
【０００５】
本発明は、このような点を考慮してなされたものであり、紙幣処理装置および硬貨処理装置を並列に配設することにより、装置の更なるコンパクト化を図ることができ、このことにより設置スペースの制約を受けることをできるだけ抑制することができる貨幣処理システムを提供することを目的とする。
【０００６】
本発明の他の目的は、装置の幅方向長さを小さくすることにより、装置の更なるコンパクト化を図ることができ、このことにより設置スペースの制約を受けることをできるだけ抑制することができる硬貨処理装置を提供することにある。
【課題を解決するための手段】
【０００７】
本発明の貨幣処理システムは、紙幣を金種別に収納する複数の収納部を有する紙幣処理装置と、硬貨を金種別に収納する複数の収納部を有する硬貨処理装置と、を備え、前記紙幣処理装置および前記硬貨処理装置は並列に配設されていることを特徴とする。
【０００８】
このような貨幣処理システムによれば、紙幣処理装置および硬貨処理装置を並列に配設することにより、装置の更なるコンパクト化を図ることができ、このことにより設置スペースの制約を受けることをできるだけ抑制することができる。
【０００９】
本発明の貨幣処理システムにおいては、前記硬貨処理装置の前記各収納部は、硬貨を積層状態で集積し、硬貨を上部から受け入れるとともに上部から硬貨を繰り出すものからなり、前記硬貨処理装置の前記各収納部は当該硬貨処理装置の奥行き方向に沿って並ぶよう配設されていてもよい。
【００１０】
本発明の貨幣処理システムにおいては、前記硬貨処理装置は、当該硬貨処理装置の機体内に投入された硬貨を前記各収納部に搬送する硬貨搬送部を有しており、前記硬貨搬送部は、前記硬貨処理装置の機体内に投入された硬貨を前記各収納部に送る方向、およびその逆方向の両方向に硬貨を搬送することができるようになっていてもよい。
【００１１】
この場合、前記硬貨搬送部の搬送路は直線形状となっていてもよい。
【００１２】
また、前記硬貨搬送部は、前記硬貨処理装置の機体内に投入された硬貨を前記各収納部に搬送する処理、および前記各収納部に収納された硬貨を前記硬貨処理装置の機体外に搬送する処理で共用されるようになっていてもよい。
【００１３】
本発明の貨幣処理システムにおいては、前記紙幣処理装置の前記各収納部のうち少なくとも一つの前記収納部は前記紙幣処理装置の機体から着脱自在となっていてもよい。
【００１４】
この場合、前記紙幣処理装置は、当該紙幣処理装置の機体内で紙幣の搬送を行う紙幣搬送部を有しており、前記紙幣処理装置の奥行き方向における、前記紙幣処理装置の機体から着脱自在となっている前記収納部よりも奥側に、前記紙幣搬送部におけるループ形状の搬送路が配設されていてもよい。
【００１５】
また、前記紙幣処理装置の機体から着脱自在となっている前記収納部は、前記紙幣処理装置の高さ方向における中間位置において当該紙幣処理装置の機体から引き出すことができるようになっていてもよい。
【００１６】
また、前記硬貨処理装置には、当該硬貨処理装置から硬貨を回収するための回収部が前記硬貨処理装置の機体から着脱自在に設けられており、前記紙幣処理装置の機体から着脱自在となっている前記収納部と前記硬貨処理装置の回収部とを一体的に引き出すことができるようになっていてもよい。
【００１７】
本発明の貨幣処理システムにおいては、前記紙幣処理装置は、当該紙幣処理装置の機体内で紙幣の搬送を行う紙幣搬送部を有しており、前記紙幣搬送部は、紙幣の長手方向に沿って当該紙幣を搬送するようになっていてもよい。
【００１８】
本発明の貨幣処理システムにおいては、前記紙幣処理装置の機体内に紙幣を投入するための紙幣入金口と、前記硬貨処理装置の機体内に硬貨を投入するための硬貨入金口とが、前記貨幣処理システムの高さ方向における略同一位置に配置されていてもよい。
【００１９】
本発明の硬貨処理装置は、硬貨を金種別に収納する複数の収納部を備えた硬貨処理装置であって、前記各収納部は、硬貨を積層状態で集積し、硬貨を上部から受け入れるとともに上部から硬貨を繰り出すものからなり、前記各収納部は前記硬貨処理装置の奥行き方向に沿って並ぶよう配設されていることを特徴とする。
【００２０】
このような硬貨処理装置によれば、各収納部は硬貨処理装置の奥行き方向に沿って並ぶよう配設されているため、装置の幅方向長さを小さくすることができる。このため、装置の更なるコンパクト化を図ることができ、このことにより設置スペースの制約を受けることをできるだけ抑制することができる。
【００２１】
本発明の硬貨処理装置は、前記硬貨処理装置の機体内に投入された硬貨を前記各収納部に搬送する硬貨搬送部を更に備え、前記硬貨搬送部は、前記硬貨処理装置の機体内に投入された硬貨を前記各収納部に送る方向、およびその逆方向の両方向に硬貨を搬送することができるようになっていてもよい。
【００２２】
この場合、前記硬貨搬送部の搬送路は直線形状となっていてもよい。
【００２３】
また、前記硬貨搬送部は、前記硬貨処理装置の機体内に投入された硬貨を前記各収納部に搬送する処理、および前記各収納部に収納された硬貨を前記硬貨処理装置の機体外に搬送する処理で共用されるようになっていてもよい。
【発明の効果】
【００２４】
本発明の貨幣処理システムによれば、紙幣処理装置および硬貨処理装置を並列に配設することにより、装置の更なるコンパクト化を図ることができ、このことにより設置スペースの制約を受けることをできるだけ抑制することができる。
【００２５】
また、本発明の硬貨処理装置によれば、装置の幅方向長さを小さくすることにより、装置の更なるコンパクト化を図ることができ、このことにより設置スペースの制約を受けることをできるだけ抑制することができる。
【図面の簡単な説明】
【００２６】
【図１】本発明の実施の形態による貨幣処理システムの構成を示す斜視図である。
【図２】図１に示す貨幣処理システムを２つの上位機に通信可能に接続させたときの機能ブロック図である。
【図３】図１に示す貨幣処理システムにおける紙幣処理装置の内部構成を示す構成図である。
【図４】図１に示す貨幣処理システムにおける硬貨処理装置の内部構成を示す構成図である。
【図５】図４に示す硬貨処理装置における硬貨搬送部の上面図である。
【図６】図５に示す硬貨搬送部における収納分岐部および硬貨収納機構の拡大上面図である。
【図７】図５に示す硬貨搬送部における収納分岐部および硬貨収納機構の縦断面図である。
【図８】図４に示す硬貨処理装置における硬貨収納機構の斜視図である。
【図９】図８に示す硬貨収納機構におけるセパレータおよび支持機構の構成を示す斜視図である。
【図１０】図９等に示すセパレータの駆動系を示す上面図であって、（ａ）は、各セパレータが各硬貨収納部の収納筒内に進入したときの状態を示す図であり、（ｂ）は、各セパレータが各硬貨収納部の収納筒から退避したときの状態を示す図である。
【図１１】（ａ）〜（ｄ）は、それぞれ、各硬貨収納部の収納筒内の硬貨やセパレータ、ステージ等の位置を示す構成図である。
【図１２】（ａ）〜（ｆ）は、それぞれ、各硬貨収納部の収納筒内の硬貨やセパレータ、ステージ等の位置を示す構成図である。
【図１３】（ａ）〜（ｆ）は、図４に示す硬貨処理装置において各硬貨収納部の収納筒内に硬貨を収納する動作を順に示す上面図である。
【図１４】（ａ）〜（ｆ）は、図４に示す硬貨処理装置において各硬貨収納部の収納筒から硬貨を繰り出す動作を順に示す上面図である。
【発明を実施するための形態】
【００２７】
以下、図面を参照して本発明の実施の形態について説明する。図１乃至図１４は、本実施の形態による貨幣処理システムを示す図である。このうち、図１は、本実施の形態による貨幣処理システムの構成を示す斜視図であり、図２は、図１に示す貨幣処理システムを２つの上位機に通信可能に接続させたときの機能ブロック図である。また、図３は、図１に示す貨幣処理システムにおける紙幣処理装置の内部構成を示す構成図である。また、図４は、図１に示す貨幣処理システムにおける硬貨処理装置の内部構成を示す構成図であり、図５は、図４に示す硬貨処理装置における硬貨搬送部の上面図である。また、図６は、図５に示す硬貨搬送部における収納分岐部および硬貨収納機構の拡大上面図であり、図７は、図５に示す硬貨搬送部における収納分岐部および硬貨収納機構の縦断面図である。また、図８は、図４に示す硬貨処理装置における硬貨収納機構の斜視図であり、図９は、図８に示す硬貨収納機構におけるセパレータおよび支持機構の構成を示す斜視図であり、図１０は、図９等に示すセパレータの駆動系を示す上面図である。また、図１１（ａ）〜（ｄ）および図１２（ａ）〜（ｆ）は、それぞれ、各硬貨収納部の収納筒内の硬貨やセパレータ、ステージ等の位置を示す構成図である。また、図１３（ａ）〜（ｆ）は、図４に示す硬貨処理装置において各硬貨収納部の収納筒内に硬貨を収納する動作を順に示す上面図であり、図１４（ａ）〜（ｆ）は、図４に示す硬貨処理装置において各硬貨収納部の収納筒から硬貨を繰り出す動作を順に示す上面図である。
【００２８】
まず、図１を用いて本実施の形態による貨幣処理システム１０の全体構成について説明する。図１に示すように、本実施の形態による貨幣処理システム１０は略直方体形状の筐体１２を有しており、当該貨幣処理システム１０において紙幣処理装置１００および硬貨処理装置２００が並列に配設されている。より詳細には、本実施の形態による貨幣処理システム１０を正面側から見て左側に紙幣処理装置１００が配置されているとともに右側に硬貨処理装置２００が配置されている。ここで、紙幣処理装置１００は、紙幣の入出金処理等を行う紙幣入出金装置であり、硬貨処理装置２００は、硬貨の入出金処理等を行う硬貨入出金装置である。
【００２９】
図１に示すように、紙幣処理装置１００の前面には上方から順に紙幣入金口１０２および紙幣出金口１０４が設けられている。また、紙幣処理装置１００の前面において紙幣出金口１０４の下方には紙幣収納カセット１１０が貨幣処理システム１０の筐体１２に対して着脱自在に設置されている。このような紙幣収納カセット１１０は紙幣処理装置１００の高さ方向における中間位置に配置されている。また、紙幣処理装置１００の前面において紙幣収納カセット１１０の更に下方には出金リジェクト部１１４が設けられている。
【００３０】
また、図１に示すように、硬貨処理装置２００の前面上部には硬貨入金口２０２が設けられており、この硬貨処理装置２００の前面中段には硬貨出金ボックス２３６が貨幣処理システム１０の筐体１２に対して着脱自在に設置されている。ここで、紙幣処理装置１００の機体内に紙幣を投入するための紙幣入金口１０２と、硬貨処理装置２００の機体内に硬貨を投入するための硬貨入金口２０２とが、貨幣処理システム１０の高さ方向における略同一位置に配置されている。
【００３１】
また、図１に示すように、貨幣処理システム１０の上面前方の両端部にはそれぞれ第１の占有ボタン１４および第２の占有ボタン１６が設けられている。銀行等の金融機関において、図１に示す貨幣処理システム１０が窓口の２人のテラーの間に配置され、２人のテラーにより貨幣処理システム１０の双頭運用が行われる場合には、各テラーは対応する占有ボタン１４、１６を押下することにより、貨幣処理システム１０の占有を行うことができるようになる。
【００３２】
本実施の形態の貨幣処理システム１０においては、紙幣処理装置１００の機体から着脱自在となっている紙幣収納カセット１１０と、硬貨処理装置２００の硬貨回収カセット２３７（後述）とを一体的に引き出すことができるようになっている。より詳細には、紙幣収納カセット１１０および硬貨回収カセット２３７は貨幣処理システム１０における同じ載せ台（図示せず）に載せられており、貨幣処理システム１０の筐体１２の前面からこの載せ台を水平方向における手前側に引き出した後、紙幣収納カセット１１０および硬貨回収カセット２３７をそれぞれ当該載せ台から取り出すことができるようになっている。
【００３３】
このような貨幣処理システム１０は、無線または有線により、複数の上位機に通信可能に接続させることができるようになっている。図２は、図１に示す貨幣処理システム１０を２つの上位機３０、４０に通信可能に接続させたときの機能ブロック図である。具体的には、銀行等の金融機関において、図１に示す貨幣処理システム１０が窓口の２人のテラーの間に配置される場合には、２人のテラーはそれぞれ例えばパーソナルコンピュータ等からなる第１の上位機３０および第２の上位機４０を操作することにより貨幣処理システム１０で貨幣の入出金処理を行うようになる。図２に示すように、本実施の形態による貨幣処理システム１０を２つの上位機３０、４０に通信可能に接続させる場合には、貨幣処理システム１０にネットワーク用ハブ５０を有線または無線により接続し、このネットワーク用ハブ５０に第１の上位機３０および第２の上位機４０をそれぞれ有線または無線により接続する。このようにして、２人のテラーが対応する上位機３０、４０を操作することにより貨幣処理システム１０で貨幣の入出金処理を行うことができるようになる。なお、本実施の形態では、貨幣処理システム１０を各上位機３０、４０に接続する方法として上述したような接続形態に限定されることはなく、他の様々な接続形態を用いることができる。
【００３４】
次に、本実施の形態の貨幣処理システム１０における紙幣処理装置１００の構成について図３を用いて説明する。図３は、図１に示す貨幣処理システム１０における紙幣処理装置１００の内部構成を示す構成図である。図３に示すように、紙幣処理装置１００の紙幣入金口１０２には紙幣搬送部１０６が接続されており、紙幣入金口１０２に投入された紙幣は図示しない繰出機構によって紙幣搬送部１０６に１枚ずつ繰り出され、当該紙幣搬送部１０６により紙幣が１枚ずつ搬送されるようになっている。また、紙幣搬送部１０６には識別部１０８が設けられており、当該紙幣搬送部１０６により搬送される紙幣は識別部１０８によりその金種、真偽、正損、表裏等の識別が行われるようになっている。
【００３５】
また、紙幣搬送部１０６には紙幣出金口１０４、五千円紙幣用集積部１１２、出金リジェクト部１１４、千円紙幣用集積部１１６、一万円紙幣用集積部１１８がそれぞれ接続されており、紙幣搬送部１０６からこれらの紙幣出金口１０４、五千円紙幣用集積部１１２、出金リジェクト部１１４、千円紙幣用集積部１１６、一万円紙幣用集積部１１８の各々に紙幣を送って集積させることができるようになっている。なお、五千円紙幣用集積部１１２は紙幣収納カセット１１０内に設けられており、紙幣処理装置１００の前面から紙幣収納カセット１１０を引き出すと、操作者は五千円紙幣用集積部１１２内にアクセスすることができるようになる。また、この五千円紙幣用集積部１１２には、五千円札だけではなく二千円札も集積させることができるようになっている。また、本実施の形態では、五千円紙幣用集積部１１２、千円紙幣用集積部１１６および一万円紙幣用集積部１１８の各々の設置箇所は図３に示すような場所に限定されることはなく、これらの集積部１１２、１１６、１１８に集積されるべき紙幣の金種を他の金種に変更することも可能である。
【００３６】
本実施の形態の紙幣処理装置１００では、図３に示すように、紙幣処理装置１００の奥行き方向における、紙幣処理装置１００の機体から着脱自在となっている紙幣収納カセット１１０よりも奥側に、紙幣搬送部１０６におけるループ形状の搬送路１０６ａが配設されており、このループ形状の搬送路１０６ａに識別部１０８が設けられている。
【００３７】
また、図３では図示していないが、五千円紙幣用集積部１１２、千円紙幣用集積部１１６および一万円紙幣用集積部１１８の上方にはそれぞれ一時保留部が各集積部１１２、１１６、１１８に対応して設けられており、紙幣搬送部１０６から各一時保留部に紙幣が搬送されてこれらの一時保留部で紙幣が一時的に保留され、その後入金確定指令が紙幣処理装置１００に与えられることにより各一時保留部から対応する集積部１１２、１１６、１１８に紙幣が送られるようになっている。なお、各一時保留部に紙幣が一時的に保留された後、入金確定指令ではなく返却指令が紙幣処理装置１００に与えられると、各一時保留部から紙幣搬送部１０６を経て紙幣出金口１０４に紙幣が戻されるようになっている。このような紙幣の返却処理の詳細については後述する。
【００３８】
また、五千円紙幣用集積部１１２、千円紙幣用集積部１１６および一万円紙幣用集積部１１８にはそれぞれ繰出機構（図示せず）が設けられており、これらの五千円紙幣用集積部１１２、千円紙幣用集積部１１６および一万円紙幣用集積部１１８に集積された紙幣を当該繰出機構により紙幣搬送部１０６に１枚ずつ繰り出すことができるようになっている。また、紙幣処理装置１００の前面における出金リジェクト部１１４の設置箇所には扉が設けられており、権限を有する操作者が鍵等によりこの扉を開くことにより出金リジェクト部１１４の内部にアクセスすることができるようになっている。
【００３９】
本実施の形態の紙幣処理装置１００では、紙幣入金口１０２に投入された紙幣は、図示しない繰出機構により、その長手方向と平行な方向に沿って紙幣搬送部１０６に１枚ずつ繰り出されるようになっている。また、紙幣搬送部１０６は、紙幣の長手方向と平行な方向に沿って当該紙幣を１枚ずつ搬送するようになっている。このことにより、紙幣処理装置１００の幅の大きさをより一層小さくすることができる。なお、繰出機構による紙幣の繰出方向や紙幣搬送部１０６による紙幣の搬送方向はこのような態様に限定されることはなく、繰出機構が、紙幣の短手方向と平行な方向に沿って当該紙幣を紙幣搬送部１０６に１枚ずつ繰り出したり、紙幣搬送部１０６が、紙幣の短手方向と平行な方向に沿って当該紙幣を１枚ずつ搬送したりするようになっていてもよい。
【００４０】
次に、本実施の形態の貨幣処理システム１０における硬貨処理装置２００の構成について図４乃至図７等を用いて説明する。図４は、図１に示す貨幣処理システム１０における硬貨処理装置２００の内部構成を示す構成図であり、図５は、図４に示す硬貨処理装置２００における硬貨搬送部２２０の上面図である。また、図６は、図５に示す硬貨搬送部２２０における収納分岐部２４１および硬貨収納機構２４２の拡大上面図であり、図７は、図５に示す硬貨搬送部２２０における収納分岐部２４１および硬貨収納機構２４２の縦断面図である。なお、図７において、硬貨収納機構２４２の硬貨収納部２４７に収納された硬貨を参照符号Ｃで示している。また、図４における硬貨処理装置２００の左側面部は当該硬貨処理装置２００の正面側となっており、図４における右方向が硬貨処理装置２００の奥行き方向となっている。
【００４１】
図４および図５に示すように、硬貨入金口２０２の下部には硬貨繰出ベルト２０４および逆転ローラ２０５が設けられており、操作者により硬貨入金口２０２に投入された硬貨は硬貨繰出ベルト２０４により硬貨処理装置２００の奥方に繰り出され、この際に硬貨繰出ベルト２０４と逆転ローラ２０５との間の隙間を通ることにより、硬貨繰出ベルト２０４により搬送される硬貨は１枚ずつに分離されるようになる。硬貨処理装置２００の機体内において硬貨繰出ベルト２０４の奥方には硬貨搬送部２２０が設けられており、硬貨繰出ベルト２０４から硬貨搬送部２２０に硬貨が１枚ずつ受け渡され、この硬貨搬送部２２０により硬貨が更に搬送されるようになっている。
【００４２】
硬貨搬送部２２０は、硬貨処理装置２００の奥行き方向に沿って延びる搬送通路２１４を通るよう、硬貨を１枚ずつ搬送するようになっている。より詳細には、硬貨搬送部２２０は、循環移動を行う無端状の搬送ベルト２２１を有しており、この搬送ベルト２２１は、搬送通路２１４の前端および後端にそれぞれ水平方向に回転可能に軸支されたプーリ２２２によって張設されている（なお、図５では、搬送通路２１４の前端に設けられたプーリ２２２のみを図示しており、搬送通路２１４の後端に設けられたプーリ２２２の図示は省略している）。搬送ベルト２２１には内周側に歯を有するタイミングベルトが用いられ、プーリ２２２にも外周に歯を有するタイミングプーリが用いられている。また、搬送ベルト２２１の内周側には溝部が設けられ、プーリ２２２の外周には搬送ベルト２２１の溝部に係合する突起部が設けられており、プーリ２２２によって搬送ベルト２２１の高さ方向の位置が規制され、搬送ベルト２２１と搬送通路２１４の硬貨搬送面２１６（図７参照、図５では図示せず）との間隔が、処理されるべき硬貨のうちの最大厚み硬貨の厚みよりも少し広い寸法に保たれている。
【００４３】
搬送ベルト２２１には、当該搬送ベルト２２１の下面から下方に向かって突出し、搬送通路２１４内の硬貨を１枚ずつ押動搬送する複数のピン２２３（図６および図７参照）が搬送ベルト２２１の長手方向に沿って所定の間隔毎に設けられている。複数のピン２２３の間隔は、搬送方向前後のピン２２３間に硬貨を１枚ずつ受け入れて搬送可能とする寸法とされている。ピン２２３と搬送通路２１４の硬貨搬送面２１６との間には、処理されるべき硬貨のうちの最小厚み硬貨の厚みよりも小さい寸法の間隙が空けられている。
【００４４】
このような硬貨搬送部２２０において、複数のプーリ２２２のうちある一つのプーリ２２２が駆動モータ（図示せず）によって正逆回転駆動される。そして、このような駆動モータによるプーリ２２２の駆動によって、搬送通路２１４上の搬送ベルト２２１が、搬送通路２１４の前側から後側方向へ向けた入金搬送方向Ｆ１、および搬送通路２１４の後側から前側方向へ向けた出金搬送方向Ｆ２にそれぞれ循環移動させられる。また、プーリ２２２の軸には、このプーリ２２２の回転位置を検知する検知センサが設けられており、この検知センサの検知に基づいて搬送通路２１４上における搬送ベルト２２１の位置および各ピン２２３の位置を検知することができるようになっている。
【００４５】
また、図４および図５に示すように、硬貨搬送部２２０には、搬送通路２１４を通って搬送される硬貨の金種、真偽、正損、表裏等の識別を行う識別部２２５が設けられている。
【００４６】
また、硬貨処理装置２００の奥行き方向において、硬貨搬送部２２０の搬送通路２１４における識別部２２５の奥側には、当該識別部２２５による識別結果に基づいて硬貨を金種別に分岐させる金種別の収納分岐部２４１が配設されている。さらに、搬送通路２１４の一側部には、各収納分岐部２４１に対応して金種別に硬貨を収納する硬貨収納機構２４２が配設されている。
【００４７】
収納分岐部２４１は、搬送通路２１４の硬貨搬送面２１６（図７参照）から上方に突出可能な振分ゲート２４５を有しており、この振分ゲート２４５は、ソレノイド等の駆動手段により、入金搬送方向Ｆ１の下流側の水平な軸を中心として入金搬送方向Ｆ１の上流側が上下に移動し、このことにより搬送通路２１４の硬貨搬送面２１６から上方に突出することができるようになっている。ここで、振分ゲート２４５は、通常時は搬送通路２１４の硬貨搬送面２１６の下方に退避し、この振分ゲート２４５上を硬貨が通過するようになっているが、搬送ベルト２２１により搬送される硬貨のうち、識別部２２５で該当金種と識別された硬貨が搬送されてくる所定のタイミングで、振分ゲート２４５の入金搬送方向Ｆ１の上流側が搬送通路２１４の硬貨搬送面２１６から上方に突出し、この振分ゲート２４５により該当金種の硬貨が当該振分ゲート２４５に対応する硬貨収納機構２４２へ向けて案内される。また、硬貨収納機構２４２から搬送通路２１４に硬貨を繰り出す際にも、振分ゲート２４５が搬送通路２１４の硬貨搬送面２１６から上方に突出した状態で、硬貨収納機構２４２から繰り出された硬貨を搬送通路２１４内に案内するようになる。なお、図６に示すように、硬貨処理装置２００の奥行き方向における最も奥側にある搬送通路２１４の端部には振分ゲート２４５ではなく案内部材２４６が設けられており、搬送通路２１４から最も奥側にある硬貨収納機構２４２の収納筒２４８へはこの案内部材２４６により硬貨が案内されるようになっている。
【００４８】
硬貨収納機構２４２は、搬送通路２１４から硬貨を受け入れて収納するとともに、収納している硬貨を搬送通路２１４に繰り出すものである。硬貨収納機構２４２は、上下方向（鉛直方向）を集積方向として硬貨を積層状態で収納する硬貨収納部２４７を構成する収納筒２４８、および搬送通路２１４および収納筒２４８の両方に跨がった状態でそれらの上方に配置される押動部材２４９を備えている（図７参照）。収納筒２４８の上端は開口されており、この上端の開口から硬貨の収納および繰出が行われるようになっている。
【００４９】
図４乃至図６に示すように、硬貨処理装置２００の奥行き方向に沿って６つの硬貨収納機構２４２が設けられており、これらの６つの硬貨収納機構２４２は、硬貨処理装置２００の手前側から順に（すなわち、図４における左側から順に）、１円硬貨、５円硬貨、１０円硬貨、５０円硬貨、１００円硬貨および５００円硬貨をそれぞれ収納するようになっている。
【００５０】
図６および図７に示すように、搬送通路２１４の一側方に収納筒２４８の上端が配置されており、搬送通路２１４と収納筒２４８の上端との間にはこれらの搬送通路２１４と収納筒２４８の上端との間で硬貨を案内する案内通路２５０が形成されている。図６に示すように、案内通路２５０は、搬送通路２１４から収納筒２４８の上端へ向けて湾曲した形状となっている。さらに、案内通路２５０の上方には、押動部材２４９の一部が配置されている。
【００５１】
押動部材２４９は、収納筒２４８の集積方向と平行な回転軸２５５を中心に水平方向に回転する回転板２５６を有している。この回転板２５６の下面周辺部には、３つの突起２５７が周方向に等間隔で設けられている。回転板２５６の回転軸２５５の上端は駆動モータ２５８（図４参照）に連結されており、この駆動モータ２５８によって回転板２５６が回転可能に支持されている。
【００５２】
回転板２５６の下面と搬送通路２１４の搬送面２１６との間には硬貨の１枚分の厚みより大きく２枚分の厚みより小さい間隙が空けられ、また、突起２５７の下面と搬送通路２１４の搬送面２１６との間には硬貨の１枚分の厚みより小さい間隙が空けられている。したがって、回転板２５６の下側に１枚の硬貨のみが進入し、その硬貨の側面に突起２５７が当接して押動可能となる。このようにして、回転板２５６が１２０°回転することにより１枚の硬貨の収納筒２４８への収納動作または１枚の硬貨の収納筒２４８からの繰出動作を行うようになる。
【００５３】
押動部材２４９には、回転板２５６の回転位置を検知する検知部（図示せず）が設けられている。具体的には、回転板２５６の周縁部には、３つの突起２５７の位置に対応して３つの開口２６２が形成されている。また、回転板２５６の回転位置を検知する検知部は、回転板２５６または回転軸２５５に取り付けられた検知板およびこの検知板の周辺部に対して上下方向から対向配置されたフォトインタラプタである定位置検知センサを有しており、定位置検知センサに対して検知板の周縁部が対向する状態から開口２６２が対向する状態となって、定位置検知センサが遮光状態から透光状態に切り換わることにより、回転板２５６の定位置を検知する。回転板２５６の定位置は、図６に示すように、いずれの突起２５７も搬送通路２１４の外に位置している回転板２５６の回転位置としている。このような回転板２５６の定位置では、１つの突起２５７が案内通路２５０の出入口の中央に位置し、搬送通路２１４から案内通路２５０に硬貨が進入するのを防止している。
【００５４】
そして、回転板２５６は、駆動モータ２５８により、硬貨の収納時（押込動作時）に図６の時計回りの方向の押込回転方向に回転駆動され、硬貨の繰出時（押出動作時）に押込回転方向と反対になる図６の反時計回りの方向の押出回転方向に回転駆動されるようになっている。さらに、駆動モータ２５８による回転板２５６の各方向への回転は、硬貨搬送部２２０による硬貨の搬送に同期されている。すなわち、上述したように、プーリ２２２の回転位置を検知する検知センサが設けられており、この検知センサの検知に基づいて搬送通路２１４上における搬送ベルト２２１の位置および各ピン２２３の位置を検知することができるようになっているため、入金時には、ピン２２３の検知位置と識別部２２５での識別結果とに基づいて該当する金種の硬貨を分岐させるように駆動モータ２５８で回転板２５６を回転させ、また、出金時にはピン２２３の位置に基づいて該当するピン２２３に硬貨を受け渡すように駆動モータ２５８で回転板２５６を回転させる。
【００５５】
また、図６に示すように、各押動部材２４９の回転板２５６の近傍における搬送通路２１４上には、硬貨の通過を検知する通過確認センサ２７０が各押動部材２４９に対応して設けられている。このような通過確認センサ２７０により、各硬貨収納機構２４２の収納筒２４８から搬送通路２１４に繰り出された硬貨の計数が行われるようになっている。なお、各硬貨収納機構２４２の収納筒２４８から搬送通路２１４に繰り出された硬貨の計数を通過確認センサ２７０により行うにあたり、繰出直後の搬送通路２１４上での硬貨の挙動は不安定であり、硬貨が二重に計数されるおそれがあるため、硬貨が収納筒２４８から搬送通路２１４に繰り出された直後に位置する通過確認センサ２７０ではなく、この通過確認センサ２７０よりも出金搬送方向Ｆ２の下流側に設けられた通過確認センサ２７０が用いられるようになっている。
【００５６】
図４および図５に示すように、硬貨処理装置２００の奥行き方向における識別部２２５と各硬貨収納機構２４２との間には、識別部２２５で識別不能または不適切と識別されたリジェクト硬貨を硬貨搬送部２２０の搬送通路２１４から分岐するリジェクト分岐部２２７が設けられている。このリジェクト分岐部２２７は、搬送通路２１４の通路底面に形成された分岐口、およびこの分岐口を開閉してリジェクト硬貨のみを選択的に分岐させる分岐ゲートを有している。分岐ゲートは、ソレノイド等の駆動手段により、入金搬送方向Ｆ１の下流側の水平な軸を支点として入金搬送方向Ｆ１の上流側が上下に移動し、分岐口を開閉する。そして、識別部２２５で識別された硬貨が各硬貨収納機構２４２に収納される場合には、分岐ゲートによって分岐口を閉塞する状態で分岐ゲート上を硬貨が通過する。また、入金搬送方向Ｆ１に搬送される硬貨が識別部２２５でリジェクト硬貨と識別された場合には、分岐ゲートの入金搬送方向Ｆ１の上流側が上方に移動して分岐口を開放し、分岐ゲートでリジェクト硬貨を分岐口に落とし込んで分岐させる。
【００５７】
図４に示すように、リジェクト分岐部２２７の分岐口の下方には、この分岐口により分岐されたリジェクト硬貨を、硬貨処理装置２００の前面に設けられた硬貨出金ボックス２３６に導くリジェクトシュート２３１が設けられている。
【００５８】
また、図４および図５に示すように、硬貨処理装置２００の奥行き方向における硬貨繰出ベルト２０４と識別部２２５との間には、硬貨を硬貨搬送部２２０の搬送通路２１４から分岐する出金分岐部２３３が設けられている。この出金分岐部２３３は、リジェクト分岐部２２７と同様に分岐口および分岐ゲートを有しているが、分岐ゲートは、ソレノイド等の駆動手段により、出金搬送方向Ｆ２の下流側の水平な軸を支点として出金搬送方向Ｆ２の上流側が上下に移動し、分岐口を開閉するようになっている。そして、出金分岐部２３３において、硬貨が出金されない場合には、分岐ゲートによって分岐口を閉塞する状態で分岐ゲート上を硬貨が通過する。また、出金処理、返却処理および回収処理等において、分岐ゲートの出金搬送方向Ｆ２の上流側が上方に移動して分岐口を開放し、出金搬送方向Ｆ２に搬送される硬貨を分岐ゲートで分岐口に落とし込んで分岐させるようになっている。
【００５９】
出金分岐部２３３の分岐口の下方には、この分岐口により分岐された硬貨を、硬貨処理装置２００の前面に設けられた硬貨出金ボックス２３６に導く出金シュート２３５が設けられている。また、出金シュート２３５の中間部には、硬貨処理装置２００の機体内に着脱可能に配置された硬貨回収カセット２３７に硬貨を導くための回収シュート２３８が接続されている。また、出金シュート２３５と回収シュート２３８との接続部には、分岐口から分岐された硬貨を出金シュート２３５または回収シュート２３８に振り分ける切換レバー２３９が配設されている。
【００６０】
図４、図１１、図１２等に示すように、各硬貨収納機構２４２の収納筒２４８内には、当該収納筒２４８内で上下方向に集積される硬貨を下方から支えるステージ２６４が上下方向に移動可能に配置されている。また、図４に示すように、各収納筒２４８の下部には、当該収納筒２４８内にあるステージ２６４を上下方向に移動させるステージ用モータ２６７が設けられている。より詳細には、各硬貨収納機構２４２において、収納筒２４８の長手方向と平行に螺旋軸（図示せず）が配設されており、ステージ用モータ２６７によってこの螺旋軸が回転させられるようになっている。そして、ステージ２６４を支持する支持部が、収納筒２４８の一部に上下方向に沿って形成された溝を通じて螺旋軸に螺合されており、ステージ用モータ２６７の駆動によって螺旋軸が回転することによりステージ２６４が上下方向に移動するようになっている。
【００６１】
また、図８乃至図１０に示すように、各硬貨収納機構２４２には、各収納筒２４８内でステージ２６４上に集積された硬貨を、収納済み硬貨と一時保留硬貨とに分離させるセパレータ２７２が設けられている。例えば、図１２（ａ）において、収納筒２４８内にある硬貨のうち、ステージ２６４とセパレータ２７２との間にある硬貨は収納済み硬貨であり、セパレータ２７２上に集積された硬貨は一時保留硬貨となる。なお、図８は、図４に示す硬貨処理装置２００における各硬貨収納機構２４２の斜視図であり、図９は、図８に示す硬貨収納機構２４２におけるセパレータ２７２および支持機構２８２の構成を示す斜視図である。また、図１０は、図９等に示すセパレータ２７２の駆動系を示す上面図であって、（ａ）は、各セパレータ２７２が各硬貨収納部２４７の収納筒２４８内に進入したときの状態を示す図であり、（ｂ）は、各セパレータ２７２が各硬貨収納部２４７の収納筒２４８から退避したときの状態を示す図である。
【００６２】
図８乃至図１０に示すように、セパレータ２７２は、略Ｌ字状に形成されており、その先端部分が収納筒２４８内に進入した進出位置と、収納筒２４８の側方外部に退避した退避位置との間で水平方向に揺動可能となっている。なお、図９では、セパレータ２７２は退避位置に位置する状態が示されている。図９に示すように、セパレータ２７２の基端部分を支持するセパレータ支持部材２７３には第１の筒状部材２７４および第２の筒状部材２７５が取り付けられており、これらの第１の筒状部材２７４および第２の筒状部材２７５の中空部分には、上下方向（鉛直方向）に延びる第１の棒状部材２７６および第２の棒状部材２７７が通るようになっている。このことにより、第１の筒状部材２７４および第２の筒状部材２７５は、それぞれ、第１の棒状部材２７６および第２の棒状部材２７７の長手方向に沿って、上下方向に昇降自在となっている。なお、第１の筒状部材２７４および第２の筒状部材２７５を昇降させる駆動機構は設けられていないため、セパレータ２７２に何ら力が加えられていないときには、セパレータ２７２やセパレータ支持部材２７３等の自重により、第１の筒状部材２７４および第２の筒状部材２７５は、それぞれ、第１の棒状部材２７６および第２の棒状部材２７７に沿って下降し、セパレータ２７２は最降下位置に位置するようになる。一方、セパレータ２７２が上述した進出位置にあるときに、ステージ２６４が上昇すると、このステージ２６４上に集積された硬貨またはステージ２６４自体によってセパレータ２７２の下面が上方に押され、このことによりセパレータ２７２は上昇するようになる。
【００６３】
また、図９に示すように、第１の筒状部材２７４および第２の筒状部材２７５の上端部にはピニオン２８０が設けられており、このピニオン２８０は回転支点２８０ａを中心として水平方向に回転するようになっている。ここで、第２の棒状部材２７７の上端部はピニオン２８０の回転支点２８０ａに取り付けられており、第１の棒状部材２７６の上端部は、ピニオン２８０における回転支点２８０ａから外れた偏心点２８０ｂ（図１０参照）に取り付けられている。このことにより、ピニオン２８０が回転支点２８０ａを中心として水平方向に回転すると、第１の棒状部材２７６が水平方向に揺動することにより、セパレータ２７２が上述した進出位置と退避位置との間で水平方向に揺動するようになる。
【００６４】
また、図９に示すように、第１の棒状部材２７６や第２の棒状部材２７７の近傍には上下方向（鉛直方向）に延びる支持機構２８２が設けられており、この支持機構２８２には第１の退避ガイド２８３、第２の退避ガイド２８４および第３の退避ガイド２８５がそれぞれ下方から順に設けられている。ここで、セパレータ２７２が上述した退避位置にあるときに、セパレータ支持部材２７３は各退避ガイド２８３、２８４、２８５上に載置されるようになっている。より詳細には、セパレータ２７２が退避位置にあり、セパレータ支持部材２７３が第１の退避ガイド２８３上に載置されたときには、セパレータ２７２は５０枚の硬貨を一時保留する際に用いられる硬貨５０枚保留用位置Ｐ１に位置するようになる。また、セパレータ２７２が退避位置にあり、セパレータ支持部材２７３が第２の退避ガイド２８４上に載置されたときには、セパレータ２７２は１０枚の硬貨を一時保留する際に用いられる硬貨１０枚保留用位置Ｐ２に位置するようになる。また、セパレータ２７２が退避位置にあり、セパレータ支持部材２７３が第３の退避ガイド２８５上に載置されたときには、セパレータ２７２は待機位置Ｐ３に位置するようになる。これらの硬貨５０枚保留用位置Ｐ１、硬貨１０枚保留用位置Ｐ２および待機位置Ｐ３は、図１１（ａ）にも示されている。硬貨５０枚保留用位置Ｐ１においてセパレータ２７２が硬貨収納部２４７の収納筒２４８内に進入すると、このセパレータ２７２上に最大で５０枚の硬貨を一時的に保留することができるようになる。また、硬貨１０枚保留用位置Ｐ２においてセパレータ２７２が硬貨収納部２４７の収納筒２４８内に進入すると、このセパレータ２７２上に最大で１０枚の硬貨を一時的に保留することができるようになる。
【００６５】
図８および図１０に示すように、各硬貨収納機構２４２に対応するよう設けられた６つのピニオン２８０は、一つの駆動系により同時に回転させられるようになっている。より詳細には、図１０に示すように、各ピニオン２８０に対応して６つのラック２８１がそれぞれ設けられており、各ラック２８１は第１の駆動アーム２８６に取り付けられている。また、第１の駆動アーム２８６の基端部分には第２の駆動アーム２８７が取り付けられており、この第２の駆動アーム２８７は駆動モータ２８８により当該第２の駆動アーム２８７の長手方向に沿って往復移動させられるようになっている。より詳細には、図１０に示すように、駆動モータ２８８の回転軸には回転板２８８ａが取り付けられており、第２の駆動アーム２８７の基端部分がこの回転板２８８ａに回転自在に取り付けられている。そして、駆動モータ２８８が回転板２８８ａを水平方向に回転させることにより、第２の駆動アーム２８７の基端部分が移動し、この第２の駆動アーム２８７が当該第２の駆動アーム２８７の長手方向に沿って移動させられる。このようにして、第１の駆動アーム２８６もその長手方向に沿って往復移動させられ、この際に、当該第１の駆動アーム２８６に取り付けられた各ラック２８１に噛み合っている各ピニオン２８０が回転するようになる。より詳細には、第１の駆動アーム２８６は、図１０（ａ）に示すような、各セパレータ２７２の先端部分が収納筒２４８内に進入した進出位置にあるような第１の位置と、図１０（ｂ）に示すような、各セパレータ２７２の先端部分が収納筒２４８の側方外部に退避した退避位置にあるような第２の位置との間で往復移動を行うようになっている。
【００６６】
また、図１０に示すように、駆動モータ２８８の回転軸に取り付けられた回転板２８８ａの突出部分を検知するための第１の検知センサ２８９および第２の検知センサ２９０がそれぞれ設置されている。ここで、第１の駆動アーム２８６が図１０（ａ）に示すような第１の位置にあるときには、第１の検知センサ２８９により回転板２８８ａの突出部分が検知され、また、第１の駆動アーム２８６が図１０（ｂ）に示すような第２の位置にあるときには、第２の検知センサ２９０により回転板２８８ａの突出部分が検知される。このように、各検知センサ２８９、２９０による検知情報に基づいて、各セパレータ２７２が進出位置および退避位置のうち何れの位置にあるかを検知することができるようになる。
【００６７】
また、図１１および図１２に示すように、各硬貨収納機構２４２の収納筒２４８の上部側には上端検知センサ２９２が設けられている。上端検知センサ２９２は発光素子および受光素子を有しており、発光素子から発せられた光が受光素子により受けられるようになっている。このような上端検知センサ２９２が透光状態から遮光状態、または遮光状態から透光状態に切り換わることで、硬貨が集積されていない場合のステージ２６４またはステージ２６４上に集積されている硬貨の上端位置が検知される。
【００６８】
次に、このような構成からなる貨幣処理システム１０の動作について説明する。具体的には、紙幣処理装置１００および硬貨処理装置２００における紙幣や硬貨の様々な処理内容について説明する。
【００６９】
〔紙幣の入金処理および補充処理〕
まず、紙幣処理装置１００における紙幣の入金処理および補充処理について説明する。紙幣の入金処理や補充処理を行うにあたり、操作者は紙幣入金口１０２に紙幣を投入する。紙幣入金口１０２に投入された紙幣は１枚ずつ紙幣搬送部１０６に繰り出され、当該紙幣搬送部１０６により１枚ずつ紙幣が搬送される。ここで、紙幣入金口１０２から紙幣搬送部１０６に繰り出された紙幣は識別部１０８により識別が行われ、正常な紙幣はその金種に基づいて五千円紙幣用集積部１１２、千円紙幣用集積部１１６および一万円紙幣用集積部１１８のうちいずれかの集積部に搬送されてこれらの集積部に集積される。より詳細には、紙幣搬送部１０６により、五千円紙幣用集積部１１２、千円紙幣用集積部１１６および一万円紙幣用集積部１１８の上方にそれぞれ設けられた各一時保留部に紙幣がまず送られてこれらの一時保留部で紙幣が一時的に保留され、その後、入金確定指令が紙幣処理装置１００に与えられることにより、各一時保留部から五千円紙幣用集積部１１２、千円紙幣用集積部１１６および一万円紙幣用集積部１１８に紙幣が送られるようになる。一方、識別部１０８により正常な紙幣ではないと識別された紙幣はリジェクト紙幣として紙幣出金口１０４に搬送される。また、識別部１０８により正常な紙幣であると識別されても、その金種に対応する集積部がフル状態である場合には、当該紙幣はオーバーフロー紙幣として紙幣出金口１０４に搬送される。このようにして、紙幣入金口１０２に投入された紙幣が全て各集積部１１２、１１６、１１８や紙幣出金口１０４に送られると紙幣の入金処理や補充処理が完了する。
【００７０】
〔紙幣のカセット補充処理〕
次に、紙幣処理装置１００における紙幣のカセット補充処理について説明する。紙幣のカセット補充処理を行うにあたり、操作者は貨幣処理システム１０の筐体１２から紙幣収納カセット１１０を引き出し、この紙幣収納カセット１１０の五千円紙幣用集積部１１２に補充用の紙幣（具体的には、千円札、五千円札または一万円札）を集積させる。そして、紙幣収納カセット１１０を貨幣処理システム１０の筐体１２内に戻し、カセット補充処理開始の指令を紙幣処理装置１００に与えると、五千円紙幣用集積部１１２に集積されている紙幣が１枚ずつ紙幣搬送部１０６に繰り出され、当該紙幣搬送部１０６により１枚ずつ紙幣が搬送される。ここで、五千円紙幣用集積部１１２から紙幣搬送部１０６に繰り出された紙幣は識別部１０８により識別が行われ、正常な紙幣のうち千円札および一万円札はそれぞれ千円紙幣用集積部１１６および一万円紙幣用集積部１１８に搬送されてこれらの集積部に集積される。一方、識別部１０８により正常な紙幣ではないと識別された紙幣はリジェクト紙幣として出金リジェクト部１１４に搬送される。また、識別部１０８により正常な紙幣であると識別された五千円札も出金リジェクト部１１４に搬送される。
【００７１】
そして、五千円紙幣用集積部１１２に集積された紙幣が全て各集積部１１６、１１８または出金リジェクト部１１４に送られると、操作者は出金リジェクト部１１４に集積された紙幣をこの出金リジェクト部１１４から取り出して紙幣入金口１０２に投入する。紙幣入金口１０２に投入された紙幣は１枚ずつ紙幣搬送部１０６に繰り出され、当該紙幣搬送部１０６により１枚ずつ紙幣が搬送される。ここで、紙幣入金口１０２から紙幣搬送部１０６に繰り出された紙幣は識別部１０８により識別が行われ、正常な紙幣であると識別された五千円札は五千円紙幣用集積部１１２に送られてこの五千円紙幣用集積部１１２に集積される。一方、識別部１０８により再び正常な紙幣ではないと識別された紙幣はリジェクト紙幣として紙幣出金口１０４に搬送される。このようにして、紙幣入金口１０２に投入された紙幣が全て五千円紙幣用集積部１１２や紙幣出金口１０４に送られると紙幣のカセット補充処理が完了する。
【００７２】
〔紙幣の表裏揃え処理〕
次に、紙幣処理装置１００における紙幣の表裏揃え処理について説明する。ここで、紙幣の表裏揃え処理とは、上述した紙幣の入金処理および補充処理において、紙幣の表裏が揃えられた状態で千円紙幣用集積部１１６および一万円紙幣用集積部１１８にそれぞれ千円札および一万円札を集積させる処理のことをいう。なお、このような紙幣の表裏揃え処理でも、五千円紙幣用集積部１１２に集積される二千円札や五千円札の表裏は揃えられない。なぜならば、紙幣処理装置１００からの五千円札の出金は、取引毎に最大で１枚となる場合が多く、紙幣の表裏を揃える意味がほとんどないからである。また、二千円札は市場でほとんど流通しておらず、五千円紙幣用集積部１１２に集積される二千円札の表裏を揃える意味もほとんどない。紙幣の表裏揃え処理を行うにあたり、操作者は紙幣入金口１０２に紙幣を投入する。紙幣入金口１０２に投入された紙幣は１枚ずつ紙幣搬送部１０６に繰り出され、当該紙幣搬送部１０６により１枚ずつ紙幣が搬送される。ここで、紙幣入金口１０２から紙幣搬送部１０６に繰り出された紙幣は識別部１０８により識別が行われ、表向きで千円紙幣用集積部１１６に集積されるような向きの千円札が当該千円紙幣用集積部１１６に搬送されるとともに裏向きで一万円紙幣用集積部１１８に集積されるような向きの一万円札が当該一万円紙幣用集積部１１８に搬送される。また、正常な紙幣のうち、その他の向きの千円札や一万円札、ならびに二千円札や五千円札は五千円紙幣用集積部１１２に搬送される。一方、識別部１０８により正常な紙幣ではないと識別された紙幣はリジェクト紙幣として紙幣出金口１０４に搬送される。また、識別部１０８により正常な紙幣であると識別されても、その金種に対応する集積部がフル状態である場合には、当該紙幣はオーバーフロー紙幣として紙幣出金口１０４に搬送される。
【００７３】
その後、五千円紙幣用集積部１１２に集積された紙幣が１枚ずつ紙幣搬送部１０６に繰り出され、当該紙幣搬送部１０６により１枚ずつ紙幣が搬送される。ここで、五千円紙幣用集積部１１２から紙幣搬送部１０６に繰り出された紙幣は識別部１０８により識別が行われ、正常な紙幣のうち千円札および一万円札はそれぞれ千円紙幣用集積部１１６および一万円紙幣用集積部１１８に搬送される。また、正常な紙幣のうち二千円札や五千円札は出金リジェクト部１１４に一旦搬送され、操作者によりこの出金リジェクト部１１４から抜き取られた後、当該操作者により紙幣入金口１０２に再投入される。そして、紙幣入金口１０２に再投入された紙幣は１枚ずつ紙幣搬送部１０６に繰り出され、当該紙幣搬送部１０６により五千円紙幣用集積部１１２に搬送される。一方、識別部１０８により正常な紙幣ではないと識別された紙幣はリジェクト紙幣として出金リジェクト部１１４に搬送される。このような処理により、紙幣の表裏が揃えられた状態で千円札および一万円札が千円紙幣用集積部１１６および一万円紙幣用集積部１１８にそれぞれ集積されるようになる。
【００７４】
〔紙幣の返却処理〕
次に、紙幣処理装置１００における紙幣の返却処理について説明する。上述した紙幣の入金処理において、五千円紙幣用集積部１１２、千円紙幣用集積部１１６および一万円紙幣用集積部１１８の上方に設けられた各一時保留部に紙幣が一時的に保留された後、入金確定指令ではなく返却指令が紙幣処理装置１００に与えられると、各一時保留部から紙幣搬送部１０６に紙幣が送られ、この紙幣搬送部１０６により紙幣が紙幣出金口１０４に戻される。なお、五千円紙幣用集積部１１２の上方に設けられた一時保留部から紙幣搬送部１０６に戻された紙幣が紙幣出金口１０４に送られるまでの紙幣の搬送経路には重複する箇所があるため、五千円紙幣用集積部１１２の上方に設けられた一時保留部から紙幣搬送部１０６に戻された紙幣が紙幣出金口１０４に送られるまで、次の紙幣が当該一時保留部から紙幣搬送部１０６に戻されないようになっている。このようにして、五千円紙幣用集積部１１２、千円紙幣用集積部１１６および一万円紙幣用集積部１１８の上方に設けられた各一時保留部から紙幣出金口１０４に紙幣が全て戻されると、紙幣の返却処理が完了する。
【００７５】
〔紙幣の出金処理〕
次に、紙幣処理装置１００における紙幣の出金処理について説明する。紙幣の出金処理開始の指令が紙幣処理装置１００に与えられると、千円紙幣用集積部１１６に集積された千円札や一万円紙幣用集積部１１８に集積された一万円札が１枚ずつ紙幣搬送部１０６に繰り出され、当該紙幣搬送部１０６により１枚ずつ紙幣が搬送される。ここで、千円紙幣用集積部１１６や一万円紙幣用集積部１１８から紙幣搬送部１０６に繰り出された紙幣は識別部１０８により識別が行われ、正常な紙幣であると識別された千円札や一万円札は紙幣出金口１０４に搬送される。一方、識別部１０８により正常な紙幣ではないと識別された紙幣はリジェクト紙幣として出金リジェクト部１１４に送られ、この出金リジェクト部１１４に集積される。
【００７６】
その後、五千円紙幣用集積部１１２に集積された五千円札が１枚ずつ紙幣搬送部１０６に繰り出され、当該紙幣搬送部１０６により１枚ずつ紙幣が搬送される。ここで、五千円紙幣用集積部１１２から紙幣搬送部１０６に繰り出された紙幣は識別部１０８により識別が行われ、正常な紙幣であると識別された五千円札は紙幣出金口１０４に搬送される。一方、識別部１０８により正常な紙幣ではないと識別された紙幣はリジェクト紙幣として出金リジェクト部１１４に送られ、この出金リジェクト部１１４に集積される。なお、五千円紙幣用集積部１１２から繰り出された紙幣が紙幣出金口１０４や出金リジェクト部１１４に送られるまでの紙幣の搬送経路には重複する箇所があるため、五千円紙幣用集積部１１２から繰り出された紙幣が紙幣出金口１０４や出金リジェクト部１１４に送られるまで、次の紙幣が五千円紙幣用集積部１１２から繰り出されないようになっている。このようにして、千円紙幣用集積部１１６、一万円紙幣用集積部１１８、五千円紙幣用集積部１１２から所定の出金金額分の紙幣が繰り出されて紙幣出金口１０４に搬送されると、紙幣の出金処理が完了する。なお、上述した紙幣の出金処理の説明では、千円札や一万円札が紙幣出金口１０４に搬送された後、五千円札が紙幣出金口１０４に搬送されるようになっているが、このような例に限定されることはない。他の例として、一万円札、五千円札、千円札の順に出金紙幣を紙幣出金口１０４に搬送してもよく、あるいは、千円札、五千円札、一万円札の順に出金紙幣を紙幣出金口１０４に搬送してもよい。
【００７７】
〔紙幣の一括回収処理〕
次に、紙幣処理装置１００における紙幣の一括回収処理について説明する。紙幣の一括回収処理開始の指令が紙幣処理装置１００に与えられると、五千円紙幣用集積部１１２および一万円紙幣用集積部１１８に集積された二千円札、五千円札および一万円札の枚数の合計が、一万円紙幣用集積部１１８の容量よりも小さい場合には、五千円紙幣用集積部１１２に集積されている紙幣が１枚ずつ紙幣搬送部１０６に繰り出され、当該紙幣搬送部１０６により１枚ずつ紙幣が搬送される。ここで、五千円紙幣用集積部１１２から紙幣搬送部１０６に繰り出された紙幣は識別部１０８により識別が行われ、正常な紙幣のうち二千円札および五千円札は一万円紙幣用集積部１１８に搬送されてこの一万円紙幣用集積部１１８に集積される。一方、識別部１０８により正常な紙幣ではないと識別された紙幣はリジェクト紙幣として出金リジェクト部１１４に搬送される。
【００７８】
その後、千円紙幣用集積部１１６に集積された千円札が１枚ずつ紙幣搬送部１０６に繰り出され、当該紙幣搬送部１０６により１枚ずつ紙幣が搬送される。また、一万円紙幣用集積部１１８に集積された二千円札、五千円札および一万円札も１枚ずつ紙幣搬送部１０６に繰り出され、当該紙幣搬送部１０６により１枚ずつ紙幣が搬送される。ここで、千円紙幣用集積部１１６や一万円紙幣用集積部１１８から紙幣搬送部１０６に繰り出された紙幣は識別部１０８により識別が行われ、正常な紙幣であると識別された千円札、二千円札、五千円札および一万円札は五千円紙幣用集積部１１２に搬送されてこの五千円紙幣用集積部１１２に集積される。一方、識別部１０８により正常な紙幣ではないと識別された紙幣はリジェクト紙幣として出金リジェクト部１１４に送られ、この出金リジェクト部１１４に集積される。
【００７９】
その後、操作者は貨幣処理システム１０の筐体１２から紙幣収納カセット１１０を引き出し、この紙幣収納カセット１１０の五千円紙幣用集積部１１２に集積された千円札、二千円札、五千円札および一万円札を取り出す。このようにして、紙幣の一括回収が行われる。また、操作者は出金リジェクト部１１４からリジェクト紙幣を取り出す。
【００８０】
なお、紙幣の一括回収処理開始の指令が紙幣処理装置１００に与えられたときに、五千円紙幣用集積部１１２および一万円紙幣用集積部１１８に集積された二千円札、五千円札および一万円札の枚数の合計が、一万円紙幣用集積部１１８の容量よりも大きい場合には、上述した紙幣の出金処理と同様の動作により、容量オーバー分の紙幣のうち一万円札が予め一万円紙幣用集積部１１８から紙幣出金口１０４に送られる。このようにして、二千円札および五千円札が五千円紙幣用集積部１１２から一万円紙幣用集積部１１８に搬送されてこの一万円紙幣用集積部１１８に集積される際に、一万円紙幣用集積部１１８で容量オーバーとなってしまうことを防止することができる。また、上述した紙幣の一括回収処理の説明では、正常な紙幣のうち二千円札および五千円札を五千円紙幣用集積部１１２から一万円紙幣用集積部１１８に一旦送り、その後五千円紙幣用集積部１１２に戻すようにしているが、このような例に限定されることはない。他の例として、紙幣の一括回収処理開始の指令が紙幣処理装置１００に与えられたときに、五千円紙幣用集積部１１２および千円紙幣用集積部１１６に集積された二千円札、五千円札および千円札の枚数の合計が、千円紙幣用集積部１１６の容量よりも小さい場合に、正常な紙幣のうち二千円札および五千円札を五千円紙幣用集積部１１２から千円紙幣用集積部１１６に一旦送り、その後五千円紙幣用集積部１１２に戻すようにしてもよい。
【００８１】
〔紙幣の精査処理〕
次に、紙幣処理装置１００における紙幣の精査処理について説明する。紙幣の精査処理開始の指令が紙幣処理装置１００に与えられると、五千円紙幣用集積部１１２および一万円紙幣用集積部１１８に集積された二千円札、五千円札および一万円札の枚数の合計が、一万円紙幣用集積部１１８の容量よりも小さい場合には、五千円紙幣用集積部１１２に集積されている紙幣が１枚ずつ紙幣搬送部１０６に繰り出され、当該紙幣搬送部１０６により１枚ずつ紙幣が搬送される。ここで、五千円紙幣用集積部１１２から紙幣搬送部１０６に繰り出された紙幣は識別部１０８により識別され、正常な紙幣のうち二千円札および五千円札は一万円紙幣用集積部１１８に搬送されてこの一万円紙幣用集積部１１８に集積される。一方、識別部１０８により正常な紙幣ではないと識別された紙幣はリジェクト紙幣として出金リジェクト部１１４に搬送される。
【００８２】
次に、千円紙幣用集積部１１６に集積された千円札の精査処理が行われる。具体的には、千円紙幣用集積部１１６に集積されている千円札が１枚ずつ紙幣搬送部１０６に繰り出され、当該紙幣搬送部１０６により１枚ずつ紙幣が搬送される。ここで、千円紙幣用集積部１１６から紙幣搬送部１０６に繰り出された紙幣は識別部１０８により識別され、正常な紙幣は五千円紙幣用集積部１１２に搬送されてこの五千円紙幣用集積部１１２に集積される。一方、識別部１０８により正常な紙幣ではないと識別された紙幣はリジェクト紙幣として出金リジェクト部１１４に搬送される。
【００８３】
その後、五千円紙幣用集積部１１２から千円紙幣用集積部１１６に千円札が戻される。具体的には、五千円紙幣用集積部１１２に集積されている千円札が１枚ずつ紙幣搬送部１０６に繰り出され、当該紙幣搬送部１０６により１枚ずつ紙幣が搬送される。ここで、五千円紙幣用集積部１１２から紙幣搬送部１０６に繰り出された紙幣は識別部１０８により識別が行われ、正常な紙幣は千円紙幣用集積部１１６に搬送されてこの千円紙幣用集積部１１６に集積される。一方、識別部１０８により正常な紙幣ではないと識別された紙幣はリジェクト紙幣として出金リジェクト部１１４に搬送される。
【００８４】
次に、一万円紙幣用集積部１１８から五千円紙幣用集積部１１２に二千円札および五千円札が戻される。具体的には、一万円紙幣用集積部１１８に集積されている二千円札および五千円札が１枚ずつ紙幣搬送部１０６に繰り出され、当該紙幣搬送部１０６により１枚ずつ紙幣が搬送される。ここで、一万円紙幣用集積部１１８から紙幣搬送部１０６に繰り出された紙幣は識別部１０８により識別が行われ、正常な紙幣は五千円紙幣用集積部１１２に搬送されてこの五千円紙幣用集積部１１２に集積される。一方、識別部１０８により正常な紙幣ではないと識別された紙幣はリジェクト紙幣として出金リジェクト部１１４に搬送される。
【００８５】
次に、一万円紙幣用集積部１１８に集積された一万円札の精査処理が行われる。具体的には、一万円紙幣用集積部１１８に集積されている一万円札が１枚ずつ紙幣搬送部１０６に繰り出され、当該紙幣搬送部１０６により１枚ずつ紙幣が搬送される。ここで、一万円紙幣用集積部１１８から紙幣搬送部１０６に繰り出された紙幣は識別部１０８により識別が行われ、正常な紙幣は五千円紙幣用集積部１１２に搬送されてこの五千円紙幣用集積部１１２に集積される。一方、識別部１０８により正常な紙幣ではないと識別された紙幣はリジェクト紙幣として出金リジェクト部１１４に搬送される。
【００８６】
その後、五千円紙幣用集積部１１２から一万円紙幣用集積部１１８に一万円札が戻される。具体的には、五千円紙幣用集積部１１２に集積されている一万円札が１枚ずつ紙幣搬送部１０６に繰り出され、当該紙幣搬送部１０６により１枚ずつ紙幣が搬送される。ここで、五千円紙幣用集積部１１２から紙幣搬送部１０６に繰り出された紙幣は識別部１０８により識別が行われ、正常な紙幣は一万円紙幣用集積部１１８に搬送されてこの一万円紙幣用集積部１１８に集積される。一方、識別部１０８により正常な紙幣ではないと識別された紙幣はリジェクト紙幣として出金リジェクト部１１４に搬送される。このようにして、五千円紙幣用集積部１１２から一万円紙幣用集積部１１８に一万円札が戻されると、紙幣の精査処理が完了する。
【００８７】
なお、紙幣の精査処理開始の指令が紙幣処理装置１００に与えられたときに、五千円紙幣用集積部１１２および一万円紙幣用集積部１１８に集積された二千円札、五千円札および一万円札の枚数の合計が、一万円紙幣用集積部１１８の容量よりも大きい場合には、上述した紙幣の出金処理と同様の動作により、容量オーバー分の紙幣のうち一万円札が予め一万円紙幣用集積部１１８から紙幣出金口１０４に送られる。このようにして、二千円札および五千円札が五千円紙幣用集積部１１２から一万円紙幣用集積部１１８に搬送されてこの一万円紙幣用集積部１１８に集積される際に、一万円紙幣用集積部１１８で容量オーバーとなってしまうことを防止することができる。また、上述した紙幣の精査処理の説明では、正常な紙幣のうち二千円札および五千円札を五千円紙幣用集積部１１２から一万円紙幣用集積部１１８に一旦送り、その後五千円紙幣用集積部１１２に戻すようにしているが、このような例に限定されることはない。他の例として、紙幣の精査処理開始の指令が紙幣処理装置１００に与えられたときに、五千円紙幣用集積部１１２および千円紙幣用集積部１１６に集積された二千円札、五千円札および千円札の枚数の合計が、千円紙幣用集積部１１６の容量よりも小さい場合に、正常な紙幣のうち二千円札および五千円札を五千円紙幣用集積部１１２から千円紙幣用集積部１１６に一旦送り、その後五千円紙幣用集積部１１２に戻すようにしてもよい。
【００８８】
〔紙幣の売上金回収処理〕
次に、紙幣処理装置１００における紙幣の売上金回収処理について説明する。紙幣の売上金回収処理開始の指令が紙幣処理装置１００に与えられると、五千円紙幣用集積部１１２に集積されている二千円札および五千円札のうち、売上金として回収されるべき五千円札は紙幣搬送部１０６により千円紙幣用集積部１１６に送られてこの千円紙幣用集積部１１６に集積され、一方、釣銭準備金として紙幣処理装置１００に残置されるべき五千円札は紙幣搬送部１０６により一万円紙幣用集積部１１８に送られてこの一万円紙幣用集積部１１８に集積される。なお、五千円紙幣用集積部１１２に集積されている二千円札や、識別部１０８により正常な紙幣ではないと識別されたリジェクト紙幣は出金リジェクト部１１４に送られてこの出金リジェクト部１１４に集積される。
【００８９】
次に、千円紙幣用集積部１１６に集積されている千円札および五千円札のうち、五千円札、および売上金として回収されるべき千円札が紙幣搬送部１０６により五千円紙幣用集積部１１２に送られてこの五千円紙幣用集積部１１２に集積される。一方、釣銭準備金として紙幣処理装置１００に残置されるべき千円札は千円紙幣用集積部１１６に残される。この際に、識別部１０８により正常な紙幣ではないと識別されたリジェクト紙幣は出金リジェクト部１１４に送られてこの出金リジェクト部１１４に集積される。
【００９０】
次に、一万円紙幣用集積部１１８に集積されている五千円札を、紙幣搬送部１０６により、五千円紙幣用集積部１１２の上方に設けられた一時保留部に搬送し、この一時保留部で一時的に保留させる。その後、五千円紙幣用集積部１１２の上方に設けられた一時保留部に一時的に保留されている五千円札は紙幣搬送部１０６により千円紙幣用集積部１１６に送られてこの千円紙幣用集積部１１６に集積される。このような紙幣搬送部１０６による五千円札の搬送の際に、識別部１０８により正常な紙幣ではないと識別されたリジェクト紙幣は出金リジェクト部１１４に送られてこの出金リジェクト部１１４に集積される。
【００９１】
次に、一万円紙幣用集積部１１８に集積されている一万円札のうち、売上金として回収されるべき一万円札が紙幣搬送部１０６により五千円紙幣用集積部１１２に送られてこの五千円紙幣用集積部１１２に集積される。一方、釣銭準備金として紙幣処理装置１００に残置されるべき一万円札は一万円紙幣用集積部１１８に残される。この際に、識別部１０８により正常な紙幣ではないと識別されたリジェクト紙幣は出金リジェクト部１１４に送られてこの出金リジェクト部１１４に集積される。
【００９２】
その後、操作者は貨幣処理システム１０の筐体１２から紙幣収納カセット１１０を引き出し、この紙幣収納カセット１１０の五千円紙幣用集積部１１２に集積された千円札、五千円札および一万円札を取り出し、売上金として回収する。また、操作者は出金リジェクト部１１４から二千円札およびリジェクト紙幣を取り出す。
【００９３】
次に、千円紙幣用集積部１１６に集積されている千円札および五千円札のうち、五千円札が紙幣搬送部１０６により五千円紙幣用集積部１１２に送られてこの五千円紙幣用集積部１１２に集積される。一方、千円札は千円紙幣用集積部１１６に残される。この際に、識別部１０８により正常な紙幣ではないと識別されたリジェクト紙幣は出金リジェクト部１１４に送られてこの出金リジェクト部１１４に集積される。このようにして、五千円紙幣用集積部１１２、千円紙幣用集積部１１６および一万円紙幣用集積部１１８にそれぞれ、釣銭準備金としての五千円札、千円札および一万円札が残されるようになる。
【００９４】
なお、紙幣の売上金回収処理は上述した方法に限定されることはない。別の方法としては、紙幣の売上金回収処理開始の指令が紙幣処理装置１００に与えられると、五千円紙幣用集積部１１２に集積された二千円札および五千円札のうち、二千円札および売上金として回収されるべき五千円札は紙幣搬送部１０６により一万円紙幣用集積部１１８に送られてこの一万円紙幣用集積部１１８に集積される。一方、釣銭準備金として残置されるべき五千円札は五千円紙幣用集積部１１２に残される。なお、識別部１０８により正常な紙幣ではないと識別されたリジェクト紙幣は出金リジェクト部１１４に送られてこの出金リジェクト部１１４に集積される。
【００９５】
次に、操作者は貨幣処理システム１０の筐体１２から紙幣収納カセット１１０を引き出し、空の紙幣収納カセット１１０と交換する。ここで、筐体１２から引き出された紙幣収納カセット１１０の五千円紙幣用集積部１１２には、釣銭準備金として残置されるべき五千円札が集積されている。その後、一万円紙幣用集積部１１８に集積されている二千円札、五千円札および一万円札のうち、二千円札、五千円札、および売上金として回収されるべき一万円札が紙幣搬送部１０６により新たな紙幣収納カセット１１０の五千円紙幣用集積部１１２に送られてこの五千円紙幣用集積部１１２に集積される。一方、釣銭準備金として紙幣処理装置１００に残置されるべき一万円札は一万円紙幣用集積部１１８に残される。また、千円紙幣用集積部１１６に集積されている千円札のうち、売上金として回収されるべき千円札が紙幣搬送部１０６により新たな紙幣収納カセット１１０の五千円紙幣用集積部１１２に送られてこの五千円紙幣用集積部１１２に集積される。一方、釣銭準備金として紙幣処理装置１００に残置されるべき千円札は千円紙幣用集積部１１６に残される。これらの紙幣の搬送動作において、識別部１０８により正常な紙幣ではないと識別されたリジェクト紙幣は出金リジェクト部１１４に送られてこの出金リジェクト部１１４に集積される。このようにして、売上金として回収されるべき千円札、二千円札、五千円札および一万円札がそれぞれ新たな紙幣収納カセット１１０の五千円紙幣用集積部１１２に集積されるようになる。
【００９６】
その後、操作者は貨幣処理システム１０の筐体１２から紙幣収納カセット１１０を引き出し、この紙幣収納カセット１１０の五千円紙幣用集積部１１２に集積された千円札、二千円札、五千円札および一万円札を取り出し、売上金として回収する。また、操作者は出金リジェクト部１１４からリジェクト紙幣を取り出す。次に、操作者は、最初に貨幣処理システム１０の筐体１２から引き出した紙幣収納カセット１１０を筐体１２内に戻す。筐体１２から最初に引き出された紙幣収納カセット１１０の五千円紙幣用集積部１１２には、釣銭準備金として残置されるべき五千円札が集積されているため、このような釣銭準備金として残置されるべき五千円札も紙幣処理装置１００に戻されるようになる。このようにして、紙幣処理装置１００において、五千円紙幣用集積部１１２、千円紙幣用集積部１１６および一万円紙幣用集積部１１８にそれぞれ、釣銭準備金としての五千円札、千円札および一万円札が残されるようになる。
【００９７】
次に、硬貨処理装置２００の動作について図１１乃至図１４を用いて以下に説明する。図１１（ａ）〜（ｄ）および図１２（ａ）〜（ｆ）は、それぞれ、各硬貨収納部２４７の収納筒２４８内の硬貨やセパレータ２７２、ステージ２６４等の位置を示す構成図である。また、図１３（ａ）〜（ｆ）は、図４に示す硬貨処理装置２００において各硬貨収納部２４７の収納筒２４８内に硬貨を収納する動作を順に示す上面図であり、図１４（ａ）〜（ｆ）は、図４に示す硬貨処理装置２００において各硬貨収納部２４７の収納筒２４８から硬貨を繰り出す動作を順に示す上面図である。なお、図１１乃至図１４において、硬貨を参照符号Ｃで示している。また、前述したように、実際にはセパレータ２７２を支持するセパレータ支持部材２７３が各退避ガイド２８３、２８４、２８５に載置させられるが、図１１および図１２では簡略化のためにセパレータ支持部材２７３ではなくセパレータ２７２自体を各退避ガイド２８３、２８４、２８５に載置させるような図示を行っている。
【００９８】
まず、硬貨処理装置２００が待機状態にあるときには、各硬貨収納機構２４２において各セパレータ２７２は各硬貨収納部２４７の収納筒２４８から側方外部に退避した退避位置にあり（図１０（ｂ）参照）、セパレータ支持部材２７３が第３の退避ガイド２８５に載置されている。この際に、各セパレータ２７２は待機位置Ｐ３に位置するようになる。また、図１１（ｂ）に示すように、各硬貨収納機構２４２の収納筒２４８内において、ステージ２６４に集積された１または複数の硬貨のうち最上層にある硬貨の上面が、待機位置Ｃにあるセパレータ２７２よりもわずかに低くなるよう収納筒２４８内でのステージ２６４の上下方向における位置が定められている。
【００９９】
〔硬貨の入金計数処理〕
次に、硬貨処理装置２００における硬貨の入金計数処理について説明する。硬貨の入金計数処理開始の指令が硬貨処理装置２００に与えられると、各硬貨収納機構２４２においてセパレータ２７２が収納部２４７の収納筒２４８内に進入し、その後、ステージ２６４が上昇することにより、このステージ２６４に集積された硬貨に押されてセパレータ２７２も上昇し、当該セパレータ２７２は図１１（ｃ）に示すような硬貨保留位置Ｐ４に位置するようになる。ここで、セパレータ２７２が硬貨保留位置Ｐ４に位置しているときに、搬送通路２１４の硬貨搬送面２１６と、セパレータ２７２の上面である硬貨保留面２１８との間には、硬貨立ちが生じることのないような大きさの隙間（具体的には例えば数ミリの大きさの隙間）が形成されるようになる。
【０１００】
そして、操作者により硬貨入金口２０２に投入された硬貨は硬貨繰出ベルト２０４により硬貨処理装置２００の奥方に繰り出され、この際に硬貨繰出ベルト２０４と逆転ローラ２０５との間の隙間を通ることにより、硬貨繰出ベルト２０４により搬送される硬貨は１枚ずつ分離される。その後、硬貨繰出ベルト２０４から硬貨搬送部２２０に硬貨が１枚ずつ受け渡され、この硬貨搬送部２２０により硬貨が更に搬送される。具体的には、搬送通路２１４に沿って、搬送ベルト２２１の下面から下方に向かって突出したピン２２３により硬貨が押動され、この硬貨は硬貨処理装置２００の奥方に向かって搬送されるようになる。また、搬送ベルト２２１により搬送される硬貨は、識別部２２５により識別が行われる。
【０１０１】
識別部２２５での識別の結果、正常な硬貨ではないリジェクト硬貨が識別されると、リジェクト分岐部２２７の分岐ゲートが開かれ、リジェクト硬貨は搬送通路２１４から分岐してリジェクトシュート２３１を介して硬貨出金ボックス２３６に送られるようになる。また、識別部２２５での識別の結果、正常な硬貨であると識別された硬貨は、リジェクト分岐部２２７を通過し、対応する金種の収納分岐部２４１で搬送通路２１４から分岐されて、対応する金種の硬貨収納機構２４２の収納筒２４８内に収納されてセパレータ２７２上で一時的に保留される。なお、搬送通路２１４から分岐した硬貨が硬貨収納機構２４２の収納筒２４８内に収納されてセパレータ２７２上で一時的に保留される度に、ステージ２６４が硬貨１枚の厚さ分だけ下降し、それに合わせてセパレータ２７２の位置を下げ、当該セパレータ２７２上に一時的に保留された１または複数の硬貨のうち最上層にある硬貨の上面を硬貨保留面２１８に一致させることにより、次の硬貨を収納筒２４８内に受け入れ可能とするようになっている。なお、硬貨がその上面に集積されていないときのセパレータ２７２の上面の位置や、このセパレータ２７２上に一時的に保留された硬貨の上面の位置は、上端検知センサ２９２により検知されるようになっている。
【０１０２】
ここで、硬貨を硬貨収納機構２４２の収納筒２４８内に収納する動作について図１３を用いて説明する。図１３（ａ）に示すように、収納分岐部２４１では、該当金種の硬貨が搬送されてくるタイミングに合わせて振分ゲート２４５の先端が上昇する。これにより、搬送ベルト２２１のピン２２３で押動されている硬貨が振分ゲート２４５のガイド面に当接し、硬貨がこのガイド面に沿って搬送通路２１４の側方の案内通路２５０へ向けて移動する。
【０１０３】
図１３（ｂ）に示すように、振分ゲート２４５の先端が上昇してから所定のタイミングで押動部材２４９の回転板２５６が定位置から押込回転方向（図１３における矢印方向）に回転を開始する。これにより、図１３（ｃ）および図１３（ｄ）に示すように、案内通路２５０の出入口に位置していた突起２５７が収納筒２４８上へ向けて移動し、搬送ベルト２２１のピン２２３で押動されているとともに振分ゲート２４５によって案内される硬貨が案内通路２５０に進んでいく。
【０１０４】
そして、図１３（ｅ）に示すように、搬送通路２１４内に進出した突起２５７が硬貨に当接してピン２２３から硬貨を受け取り、この突起２５７で硬貨を押動して案内通路２５０内に押し込んでいく。そして、突起２５７による押動動作により、硬貨を案内通路２５０に沿って移動させながら、収納筒２４８における硬貨の集積方向に対して直交する方向から硬貨を当該収納筒２４８の上部に押し込んでいく。
【０１０５】
図１３（ｆ）に示すように、突起２５７による押動動作により、硬貨を収納筒２４８の上部に押し込み、セパレータ２７２上に集積させる。この突起２５７による押込動作により、硬貨を収納筒２４８内に強制的に押し込んで収納させるため、硬貨が自由落下する場合と比べて硬貨の挙動が安定し、収納筒２４８内での硬貨の安定した集積が可能となる。さらに、突起２５７による押込動作により、収納筒２４８における硬貨の集積方向に対して直交する方向から硬貨を当該収納筒２４８の上部に押し込むため、硬貨立ちが生じにくく、硬貨の安定した集積が可能となる。その後、硬貨に当接して押動していた突起２５７が案内通路２５０の出入口に位置する定位置に到達すると回転板２５６の回転が停止する。
【０１０６】
硬貨を収納した収納筒２４８では、ステージ２６４を硬貨１枚の厚さ分だけ下降させ、収納筒２４８の上部に次の硬貨を受け入れ可能とするスペースを形成する。これにより、収納筒２４８への１枚の硬貨の保留動作が完了する。
【０１０７】
また、続けて硬貨を収納筒２４８に保留する場合にも、上述のように振分ゲート２４５、押動部材２４９およびステージ２６４が同様に動作し、セパレータ２７２上に既に集積されている硬貨上に続けて送り込む硬貨を順次集積する。図１１（ｄ）には、収納筒２４８内において複数枚の硬貨をセパレータ２７２上で一時保留した状態が示されている。
【０１０８】
そして、識別部２２５で硬貨を所定時間識別しなくなることで、硬貨入金口２０２に投入された硬貨についての入金計数処理が完了したものとなる。
【０１０９】
〔硬貨の収納処理〕
次に、硬貨処理装置２００における硬貨の収納処理について説明する。各硬貨収納機構２４２の収納筒２４８内においてセパレータ２７２上で硬貨が一時的に保留された後、操作者によって入金確定指令が硬貨処理装置２００に与えられると、図１２（ａ）に示すように、セパレータ２７２が硬貨５０枚保留用位置Ｐ１または硬貨１０枚保留用位置Ｐ２に位置するようステージ２６４が下降する（なお、図１２（ａ）では、セパレータ２７２が硬貨５０枚保留用位置Ｐ１に位置している状態が示されている）。そして、図１２（ｂ）に示すように、セパレータ２７２が収納筒２４８の側方外部に退避する。この際に、セパレータ２７２を支持するセパレータ支持部材２７３が第１の退避ガイド２８３または第２の退避ガイド２８４に載置されるようになる。このことにより、セパレータ２７２上で一時的に保留された硬貨がステージ２６４上に集積されるようになり、このステージ２６４上に集積された硬貨は収納済み硬貨として取り扱われるようになる。その後、図１２（ｃ）に示すように、ステージ２６４上に集積された１または複数の硬貨のうち最上層にある硬貨の上面が硬貨５０枚保留用位置Ｐ１または硬貨１０枚保留用位置Ｐ２よりもわずかに下方に位置するよう、ステージ２６４が更に下降する。そして、図１２（ｄ）に示すように、セパレータ２７２が退避位置から収納筒２４８内に進入し、このセパレータ２７２は、ステージ２６４上に集積された収納済み硬貨の上方に位置するようになる。その後、各硬貨収納機構２４２における硬貨の収納処理が完了すると、図１２（ｅ）に示すように、セパレータ２７２が待機位置Ｐ３に到達するまでステージ２６４が上昇し、その後、セパレータ２７２が収納筒２４８の側方外部に退避する。このようにして、硬貨処理装置２００は待機状態に戻るようになる。
【０１１０】
〔硬貨の返却処理〕
次に、硬貨処理装置２００における硬貨の返却処理について説明する。各硬貨収納機構２４２の収納筒２４８内においてセパレータ２７２上で硬貨が一時的に保留された後、操作者によって返却指令が硬貨処理装置２００に与えられると、各硬貨収納機構２４２の収納筒２４８内においてセパレータ２７２上で一時的に保留された硬貨が１金種ずつ順に搬送通路２１４に繰り出され、硬貨出金ボックス２３６に払い出されて返却される。収納筒２４８から搬送通路２１４への硬貨の繰出動作は、以下に詳述する硬貨の出金処理において説明する。
【０１１１】
〔硬貨の補充処理〕
次に、硬貨処理装置２００における硬貨の補充処理について説明する。硬貨の補充処理開始の指令が硬貨処理装置２００に与えられ、操作者により硬貨入金口２０２に硬貨が投入されると、この投入された硬貨は硬貨繰出ベルト２０４により硬貨処理装置２００の奥方に繰り出され、この際に硬貨繰出ベルト２０４と逆転ローラ２０５との間の隙間を通ることにより、硬貨繰出ベルト２０４により搬送される硬貨は１枚ずつに分離される。その後、硬貨繰出ベルト２０４から硬貨搬送部２２０に硬貨が１枚ずつ受け渡され、この硬貨搬送部２２０により硬貨が更に搬送され、識別部２２５によりその金種、真偽、正損、表裏等が識別される。その後、識別部２２５での識別の結果、正常な硬貨であると識別された硬貨は、リジェクト分岐部２２７を通過し、対応する金種の収納分岐部２４１で搬送通路２１４から分岐されて、対応する金種の硬貨収納機構２４２の収納筒２４８内に収納される。なお、硬貨の補充処理では、上述した硬貨の入金計数処理とは異なり、セパレータ２７２は常に収納筒２４８から側方外部に退避した退避位置にあり、搬送通路２１４から分岐した硬貨が硬貨収納機構２４２の収納筒２４８内に収納されると、この硬貨はステージ２６４上に直接集積されるようになる。
【０１１２】
〔硬貨の出金処理〕
次に、硬貨処理装置２００における硬貨の出金処理について説明する。硬貨の出金処理開始の指令が硬貨処理装置２００に与えられると、操作者等によって入力される出金額や出金金種等の出金データに基づいて、出金該当金種の硬貨収納機構２４２に収納されている硬貨を１金種ずつ順番に出金する。具体的には、図１２（ｆ）に示すように、収納筒２４８内でステージ２６４上に集積されている１または複数の硬貨のうち最上層にある硬貨を回転板２５６の下面に押し当てるようステージ２６４を上昇させる。このことにより、この最上層にある硬貨が案内通路２５０の底面よりも上方に位置されるようになる。
【０１１３】
そして、図１４（ａ）に示すように、硬貨搬送部２２０の搬送ベルト２２１が出金搬送方向Ｆ２に循環移動しているときに、図１４（ｂ）に示すように、搬送ベルト２２１のピン２２３とピン２２３との間に硬貨を繰り出すように、搬送ベルト２２１の循環移動に同期して押動部材２４９の回転板２５６を定位置から押出回転方向（図１４における矢印方向）に回転させる。
【０１１４】
図１４（ｃ）に示すように、回転する回転板２５６の１つの突起２５７が、最上層にある硬貨に当接し、この硬貨を案内通路２５０に押し出していく。このときに、最上層から２番目の硬貨は、収納筒２４８の内壁に当接して最上層の硬貨とともに連れ出されることはなく、１枚の硬貨のみが案内通路２５０に押し出されていく。
【０１１５】
図１４（ｄ）に示すように、突起２５７による押出動作により、硬貨を案内通路２５０に沿って移動させながら搬送通路２１４内に押し出していく。図１４（ｅ）に示すように、搬送通路２１４内に押し出される硬貨は、搬送ベルト２２１のピン２２３とピン２２３との間に進入する。
【０１１６】
そして、図１４（ｆ）に示すように、硬貨に当接して押動していた突起２５７が案内通路２５０の出入口に位置する定位置で、回転板２５６の回転が停止する。硬貨は、突起２５７で押動されていた慣性によって搬送通路２１４内に移動する。そして、搬送通路２１４内に移動した硬貨に搬送ベルト２２１のピン２２３が当接し、硬貨を出金搬送方向Ｆ２に搬送する。その後、搬送ベルト２２１により搬送される硬貨は識別部２２５により識別が行われ、出金分岐部２３３で分岐される。より詳細には、出金分岐部２３３の分岐ゲートは開放されており、搬送通路２１４から硬貨が出金シュート２３５に分岐され、この出金シュート２３５により硬貨が硬貨出金ボックス２３６に送られる。なお、識別部２２５により正常な硬貨ではないと識別されたリジェクト硬貨は硬貨入金口２０２に一度送られ、硬貨の出金処理が完了した後にこの硬貨入金口２０２から再び硬貨搬送部２２０によって硬貨処理装置２００の奥行き方向に搬送されることにより、識別部２２５により識別された後に各硬貨収納機構２４２に収納されるようになる。
【０１１７】
出金が完了した金種の硬貨収納機構２４２の収納筒２４８では、ステージ２６４が下降する。このようにして、硬貨処理装置２００は待機状態に戻るようになる。
【０１１８】
硬貨出金ボックス２３６に出金硬貨が送られた後、操作者は、貨幣処理システム１０の筐体１２から硬貨出金ボックス２３６を引き出すことにより、出金硬貨を取り出すことができる。
【０１１９】
〔硬貨の回収処理〕
次に、硬貨処理装置２００における硬貨の回収処理について説明する。硬貨の回収処理開始の指令が硬貨処理装置２００に与えられると、上述した硬貨の出金処理と同様の方法により各硬貨収納機構２４２の収納筒２４８から搬送通路２１４に硬貨が１枚ずつ繰り出され、この繰り出された硬貨は搬送ベルト２２１により出金搬送方向Ｆ２に搬送される。そして、搬送ベルト２２１により搬送される硬貨は識別部２２５により識別され、出金分岐部２３３で分岐される。より詳細には、出金分岐部２３３の分岐ゲートは開放されており、搬送通路２１４から硬貨が出金シュート２３５に分岐され、切換レバー２３９により出金シュート２３５から回収シュート２３８に硬貨が送られ、この回収シュート２３８により硬貨が硬貨回収カセット２３７に収納される。なお、識別部２２５により正常な硬貨ではないと識別されたリジェクト硬貨は硬貨入金口２０２に一度送られ、硬貨の回収処理が完了した後にこの硬貨入金口２０２から再び硬貨搬送部２２０によって硬貨処理装置２００の奥行き方向に搬送されることにより、識別部２２５により識別された後に各硬貨収納機構２４２に収納されるようになる。
【０１２０】
硬貨回収カセット２３７に回収硬貨が送られた後、操作者は、貨幣処理システム１０の筐体１２から硬貨回収カセット２３７を取り出すことにより、この硬貨回収カセット２３７ごと硬貨を回収することができる。
【０１２１】
〔硬貨の自動精査処理〕
次に、硬貨処理装置２００における硬貨の自動精査処理について説明する。本実施の形態における硬貨の自動精査処理では、１金種ごとに硬貨収納機構２４２の収納筒２４８から搬送通路２１４に硬貨を繰り出して硬貨搬送部２２０の搬送ベルト２２１により硬貨入金口２０２に送った後、この硬貨入金口２０２から硬貨を硬貨搬送部２２０の搬送ベルト２２１により硬貨収納機構２４２の収納筒２４８に戻すようになっている。より詳細には、硬貨の自動精査処理開始の指令が硬貨処理装置２００に与えられると、上述した硬貨の出金処理と同様の方法により各硬貨収納機構２４２の収納筒２４８から搬送通路２１４に硬貨が１枚ずつ繰り出され、この繰り出された硬貨は搬送ベルト２２１により出金搬送方向Ｆ２に搬送される。そして、搬送ベルト２２１により搬送される硬貨は識別部２２５により識別された後、硬貨入金口２０２に送られる。そして、ある金種の硬貨収納機構２４２の収納筒２４８から硬貨が全て搬送通路２１４に繰り出されて硬貨入金口２０２に送られると、上述した硬貨の補充処理と同様の方法により、硬貨入金口２０２から硬貨が１枚ずつ硬貨搬送部２２０に繰り出され、硬貨搬送部２２０の搬送ベルト２２１により入金搬送方向Ｆ１に搬送されながら識別部２２５により識別され、対応する金種の硬貨収納機構２４２の収納筒２４８内に収納される。
【０１２２】
以上のような構成からなる本実施の形態の貨幣処理システム１０によれば、図１に示すように、紙幣処理装置１００および硬貨処理装置２００が並列に配設されている。このことにより、貨幣処理システム１０全体としての更なるコンパクト化を図ることができ、このため設置スペースの制約を受けることをできるだけ抑制することができる。
【０１２３】
また、本実施の形態の貨幣処理システム１０やこの貨幣処理システム１０に設けられた硬貨処理装置２００においては、硬貨処理装置２００の各硬貨収納機構２４２は、硬貨を積層状態で集積し、硬貨を上部から受け入れるとともに上部から硬貨を繰り出すものからなり、各硬貨収納機構２４２は硬貨処理装置２００の奥行き方向に沿って並ぶよう配設されている。このことにより、硬貨処理装置２００の幅方向長さを小さくすることができ、硬貨処理装置２００やこの硬貨処理装置２００を備えた貨幣処理システム１０について、設置スペースの制約を受けることをより一層抑制することができる。
【０１２４】
また、本実施の形態の貨幣処理システム１０やこの貨幣処理システム１０に設けられた硬貨処理装置２００においては、硬貨処理装置２００の機体内に投入された硬貨を各硬貨収納機構２４２に搬送する硬貨搬送部２２０は、硬貨処理装置２００の機体内に投入された硬貨を各硬貨収納機構２４２に送る方向、およびその逆方向の両方向に硬貨を搬送することができるようになっている。また、硬貨搬送部２２０により硬貨が搬送される搬送通路２１４は直線形状となっている。この場合には、硬貨処理装置２００の幅方向長さをより一層小さくすることができ、硬貨処理装置２００やこの硬貨処理装置２００を備えた貨幣処理システム１０について、設置スペースの制約を受けることをより一層抑制することができる。
【０１２５】
また、本実施の形態の貨幣処理システム１０やこの貨幣処理システム１０に設けられた硬貨処理装置２００においては、硬貨搬送部２２０は、硬貨処理装置２００の機体内に投入された硬貨を各硬貨収納機構２４２に搬送する処理（具体的には、入金処理や補充処理、精査処理の一部）、および各硬貨収納機構２４２に収納された硬貨を硬貨処理装置２００の機体外に搬送する処理（具体的には、返却処理、出金処理、回収処理、精査処理の一部）で共用されるようになっている。この場合には、入金処理等の、硬貨処理装置２００の機体内に投入された硬貨を各硬貨収納機構２４２に搬送する処理と、出金処理等の、各硬貨収納機構２４２に収納された硬貨を硬貨処理装置２００の機体外に搬送する処理とで搬送部を分ける必要がなくなり、硬貨処理装置２００のより一層のコンパクト化を図ることができる。
【０１２６】
また、本実施の形態の貨幣処理システム１０においては、紙幣処理装置１００における五千円紙幣用集積部１１２、千円紙幣用集積部１１６および一万円紙幣用集積部１１８のうち五千円紙幣用集積部１１２が設けられた紙幣収納カセット１１０が紙幣処理装置１００の機体から着脱自在となっている。従来技術では、金種別の紙幣の集積部と補充回収用のカセットとは別々に設置されていたが、本実施の形態では、複数の紙幣の集積部のうちの少なくとも１つを補充回収用のカセットとして兼用することができるようになり、紙幣処理装置１００のより一層のコンパクト化を図ることができる。
【０１２７】
この際に、紙幣処理装置１００の奥行き方向における、紙幣処理装置１００の機体から着脱自在となっている紙幣収納カセット１１０よりも奥側に、紙幣搬送部１０６におけるループ形状の搬送路１０６ａが配設されている。この場合には、紙幣処理装置１００の奥行き方向における後方側の空いているスペースにループ形状の搬送路１０６ａを設けることによりデッドスペースを無くすことができ、紙幣処理装置１００のより一層のコンパクト化を図ることができる。
【０１２８】
また、紙幣処理装置１００の機体から着脱自在となっている紙幣収納カセット１１０は、紙幣処理装置１００の高さ方向における中間位置において当該紙幣処理装置１００の機体から引き出すことができるようになっている。この場合には、操作者は屈まなくても紙幣処理装置１００の機体から紙幣収納カセット１１０を引き出すことができるようになり、操作者にとっての作業負担を軽減することができる。
【０１２９】
また、本実施の形態の貨幣処理システム１０においては、前述したように、紙幣処理装置１００の機体から着脱自在となっている紙幣収納カセット１１０と硬貨処理装置２００の硬貨回収カセット２３７とを一体的に引き出すことができるようになっている。より詳細には、紙幣収納カセット１１０および硬貨回収カセット２３７は貨幣処理システム１０における同じ載せ台に載せられており、貨幣処理システム１０の筐体１２の前面からこの載せ台を水平方向における手前側に引き出した後、紙幣収納カセット１１０および硬貨回収カセット２３７をそれぞれ当該載せ台から取り出すことができるようになっている。
【０１３０】
また、本実施の形態の貨幣処理システム１０においては、紙幣処理装置１００の機体内に設けられ、紙幣の搬送を行う紙幣搬送部１０６は、紙幣の長手方向に沿って当該紙幣を搬送するようになっている。この場合には、紙幣処理装置１００の幅方向長さを小さくすることができ、紙幣処理装置１００やこの紙幣処理装置１００を備えた貨幣処理システム１０について、設置スペースの制約を受けることをより一層抑制することができる。
【０１３１】
また、本実施の形態の貨幣処理システム１０においては、紙幣処理装置１００の機体内に紙幣を投入するための紙幣入金口１０２と、硬貨処理装置２００の機体内に硬貨を投入するための硬貨入金口２０２とが、貨幣処理システム１０の高さ方向における略同一位置に配置されている。従来技術では、紙幣入金口と硬貨入金口は貨幣処理システムの高さ方向における異なる位置に配置されていたが、本実施の形態では紙幣入金口１０２および硬貨入金口２０２が貨幣処理システム１０の高さ方向における略同一位置に配置されているため、紙幣処理装置１００および硬貨処理装置２００にそれぞれ紙幣および硬貨を入金する際に操作者は同じ高さで紙幣や硬貨の投入動作を行うことができ、操作者にとっての入金処理の操作性を向上させることができる。
【０１３２】
なお、本実施の形態による貨幣処理システム１０は、上述したような態様に限定されることはなく、様々な変更を加えることができる。
【０１３３】
例えば、貨幣処理システム１０として、紙幣処理装置１００および硬貨処理装置２００が並設されたものを用いる必要はない。紙幣処理装置１００単体、あるいは硬貨処理装置２００単体を貨幣処理システム１０として用いてもよい。
【０１３４】
また、紙幣処理装置１００や硬貨処理装置２００は、図３や図４乃至図１４に示すような構成のものに限定されることはない。紙幣を金種別に収納する複数の収納部を有するものであれば、紙幣処理装置１００や硬貨処理装置２００として、図示した構成以外のものを用いてもよい。
【符号の説明】
【０１３５】
１０  貨幣処理システム
１２  筐体
１４  第１の占有ボタン
１６  第２の占有ボタン
３０  第１の上位機
４０  第２の上位機
５０  ネットワーク用ハブ
１００  紙幣処理装置
１０２  紙幣入金口
１０４  紙幣出金口
１０６  紙幣搬送部
１０６ａ  ループ形状の搬送路
１０８  識別部
１１０  紙幣収納カセット
１１２  五千円紙幣用集積部
１１４  出金リジェクト部
１１６  千円紙幣用集積部
１１８  一万円紙幣用集積部
２００  硬貨処理装置
２０２  硬貨入金口
２０４  硬貨繰出ベルト
２０５  逆転ローラ
２１４  搬送通路
２１６  硬貨搬送面
２１８  硬貨保留面
２２０  硬貨搬送部
２２１  搬送ベルト
２２２  プーリ
２２３  ピン
２２５  識別部
２２７  リジェクト分岐部
２３１  リジェクトシュート
２３３  出金分岐部
２３５  出金シュート
２３６  硬貨出金ボックス
２３７  硬貨回収カセット
２３８  回収シュート
２３９  切換レバー
２４１  収納分岐部
２４２  硬貨収納機構
２４５  振分ゲート
２４６  案内部材
２４７  硬貨収納部
２４８  収納筒
２４９  押動部材
２５０  案内通路
２５５  回転軸
２５６  回転板
２５７  突起
２５８  駆動モータ
２６２  開口
２６４  ステージ
２６７  ステージ用モータ
２７０  通過確認センサ
２７２  セパレータ
２７３  セパレータ支持部材
２７４  第１の筒状部材
２７５  第２の筒状部材
２７６  第１の棒状部材
２７７  第２の棒状部材
２８０  ピニオン
２８０ａ  回転支点
２８０ｂ  偏心点
２８１  ラック
２８２  支持機構
２８３  第１の退避ガイド
２８４  第２の退避ガイド
２８５  第３の退避ガイド
２８６  第１の駆動アーム
２８７  第２の駆動アーム
２８８  駆動モータ
２８８ａ  回転板
２８９  第１の検知センサ
２９０  第２の検知センサ
２９２  上端検知センサ
【図１】
2015001928.tif 000003
【図２】
2015001928.tif 000004
【図３】
2015001928.tif 000005
【図４】
2015001928.tif 000006
【図５】
2015001928.tif 000007
【図６】
2015001928.tif 000008
【図７】
2015001928.tif 000009
【図８】
2015001928.tif 000010
【図９】
2015001928.tif 000011
【図１０】
2015001928.tif 000012
【図１１】
2015001928.tif 000013
【図１２】
2015001928.tif 000014
【図１３】
2015001928.tif 000015
【図１４】
2015001928.tif 000016